(57)【特許請求の範囲】
【請求項１】
無線通信ネットワークにおいてシグナリングを送信する方法であって、
複数の符号シンボルにシグナリングメッセージをマッピングすることと、
前記複数の符号シンボルに基づいて複数のリソースエレメントの中から複数のリソースエレメントを選択することと、
前記選択されたリソースエレメントにおいて送信電力を有し及び前記複数のリソースエレメントのうちの残りのリソースエレメントにおいて送信電力を有さないビーコン信号を生成すること、
送信局から前記送信局と非同期的に動作する少なくとも１つの受信局に前記ビーコン信号を送信すること、を備え、
ここで、前記ビーコン信号の副搬送波は、予約された副搬送波の組又は予約された副搬送波の部分組の中であり、ここで前記予約された副搬送波の組又は予約された副搬送波の部分組と、予約されていない副搬送波帯域との間にはガード副搬送波が設定される、
無線通信ネットワークにおいてシグナリングを送信する方法。
【請求項２】
送信局に対する干渉を低減させることを、少なくとも１つの干渉する局に要求する干渉低減要求を備える前記シグナリングメッセージを生成することをさらに備える請求項１に記載の方法。
【請求項３】
前記シグナリングメッセージを前記マッピングすることは、
前記シグナリングメッセージを少なくとも１つの情報シンボルに対しマッピングすることと、
ブロック符号に従って前記少なくとも１つの情報シンボルを符号化して、前記複数の符号シンボルを得ること、とを備える請求項１に記載の方法。
【請求項４】
複数のリソースエレメントを前記選択することは、
前記複数のリソースエレメントで形成されたリソースエレメントの複数の組を決定することであって、各符号シンボルに関しては１つのリソースエレメント組であることと、
対応する符号シンボルに基づいてリソースエレメントの各組において１つのリソースエレメントを選択すること、とを備える請求項１に記載の方法。
【請求項５】
各符号シンボルは、０乃至Ｎ−１の範囲内の値を有し、Ｎは１よりも大きく、各組内の前記リソースエレメントは、インデックス０乃至Ｎ−１が割り当てられ、Ｘのインデックスを有するリソースエレメントは、Ｘの値を有する符号シンボルのために選択され、Ｘは０乃至Ｎ−１の範囲内である請求項４に記載の方法。
【請求項６】
リソースエレメントの各組は、１つのシンボル期間における複数の副搬送波を網羅し、リソースエレメントの各組において１つのリソースエレメントを前記選択することは、各シンボル期間において、前記シンボル期間において送信すべき符号シンボルに基づいて前記複数の副搬送波のうちの１つを選択することを備える請求項４に記載の方法。
【請求項７】
リソースエレメントの各組は、複数のシンボル期間における１つの副搬送波を網羅し、リソースエレメントの各組において１つのリソースエレメントを前記選択することは、各副搬送波において、前記副搬送波において送信すべき符号シンボルに基づいて前記複数のリソースエレメントのうちの１つを選択することを備える請求項４に記載の方法。
【請求項８】
前記複数のリソースエレメントは、複数のリソースセグメントに分割され、各リソースセグメントは、前記シグナリングメッセージを送信するために予約された少なくとも１つの副搬送波におけるリソースエレメントの少なくとも１つの組を備える請求項７に記載の方法。
【請求項９】
前記複数のリソースエレメントは、前記シグナリングメッセージを送信するために予約され及び予め決められた時間及び周波数位置に配置されたリソースセグメント内に属する請求項1に記載の方法。
【請求項１０】
前記複数のリソースエレメントは、複数の副搬送波によって形成され、前記シグナリングメッセージを送信するために予約され、いずれかのシンボル期間において開始する請求項１に記載の方法。
【請求項１１】
前記ビーコン信号を前記生成することは、
前記ビーコン信号が送信される各シンボル期間に関して、存在する場合は各々の選択されたリソースエレメントにおいて送信電力を有する直交周波数分割多重（ＯＦＤＭ）シンボル又は単一搬送波周波数分割多重（ＳＣ−ＦＤＭ）シンボルを生成することと、
受信局が、前記受信局における不整合のシンボルタイミングに起因する小さいシンボル間干渉（ＩＳＩ）及びより小さい搬送波間干渉（ＩＣＩ）を有する前記シグナリングメッセージの受信を可能にするために、２つの連続するシンボル期間にわたり各々の選択されたリソースエレメントを繰り返すこと、とを備える請求項１に記載の方法。
【請求項１２】
前記送信局は、基地局であり、前記少なくとも１つの干渉する局は、少なくとも１つの干渉するユーザ装置（ＵＥ）である請求項２に記載の方法。
【請求項１３】
前記送信局は、ユーザ装置（ＵＥ）であり、前記少なくとも１つの干渉する局は、少なくとも１つの干渉する基地局である請求項２に記載の方法。
【請求項１４】
前記シグナリングメッセージを送信するために予約された副搬送波の少なくとも２つの連続しない部分組を決定することであって、各部分組は、少なくとも１つの副搬送波を含むことと、
複数のシンボル期間における副搬送波の前記少なくとも２つの連続しない部分組によって形成された前記複数のリソースエレメントを決定すること、とをさらに備える請求項１に記載の方法。
【請求項１５】
副搬送波の各部分組は、送信のために使用可能なその他の副搬送波から少なくとも１つのガード副搬送波によって隔離される請求項１４に記載の方法。
【請求項１６】
前記複数のリソースエレメントは、前記無線ネットワーク内の1つのセルにおいてシグナリングメッセージを送信するために使用可能であり、異なる複数のリソースエレメントは、前記無線ネットワーク内の異なるセルにおいてシグナリングメッセージを送信するために使用可能である請求項１に記載の方法。
【請求項１７】
前記複数のリソースエレメントは、前記無線ネットワーク内のすべてのセルにおいてシグナリングメッセージを送信するために使用可能である請求項１に記載の方法。
【請求項１８】
無線通信のための装置であって、
複数の符号シンボルにシグナリングメッセージをマッピングするための手段と、
前記複数の符号シンボルに基づいて複数のリソースエレメントの中から複数のリソースエレメントを選択するための手段と、
前記選択されたリソースエレメントにおいて送信電力を有し及び前記複数のリソースエレメントのうちの残りのリソースエレメントにおいて送信電力を有さないビーコン信号を生成するための手段と、
送信局から前記送信局と非同期的に動作する少なくとも１つの受信局に前記ビーコン信号を送信するための手段と、を備え、
ここで、前記ビーコン信号の副搬送波は、予約された副搬送波の組又は予約された副搬送波の部分組の中であり、ここで前記予約された副搬送波の組又は予約された副搬送波の部分組と、予約されていない副搬送波帯域との間にはガード副搬送波が設定される、
無線通信のための装置。
【請求項１９】
送信局に対する干渉を低減させることを少なくとも１つの干渉する局に要求する干渉低減要求を備える前記シグナリングメッセージを生成するための手段をさらに備える請求項１８に記載の装置。
【請求項２０】
複数のリソースエレメントを選択するための前記手段は、
前記複数のリソースエレメントによって形成されたリソースエレメントの複数の組を決定するための手段であって、各符号シンボルに関して１つのリソースエレメント組である手段と、
対応する符号シンボルに基づいてリソースエレメントの各組において１つのリソースエレメントを選択するための手段と、を備える請求項１８に記載の装置。
【請求項２１】
リソースエレメントの各組は、１つのシンボル期間における複数の副搬送波を網羅し、リソースエレメントの各組において１つのリソースエレメントを選択するための前記手段は、各シンボル期間において、前記シンボル期間において送信すべき符号シンボルに基づいて前記複数の副搬送波のうちの１つを選択するための手段を備える請求項２０に記載の装置。
【請求項２２】
リソースエレメントの各組は、複数のシンボル期間における１つの副搬送波を網羅し、リソースエレメントの各組において１つのリソースエレメントを選択するための前記手段は、各副搬送波において、前記副搬送波において送信すべき符号シンボルに基づいて前記複数のシンボル期間のうちの１つを選択するための手段を備える請求項２０に記載の装置。
【請求項２３】
無線通信のための装置であって、
複数の符号シンボルにシグナリングメッセージをマッピングし、前記複数の符号シンボルに基づいて複数のリソースエレメントの中から複数のリソースエレメントを選択し、及び前記選択されたリソースエレメントにおいて送信電力を有し及び前記複数のリソースエレメントのうちの残りのリソースエレメントにおいて送信電力を有さないビーコン信号を生成するように構成された少なくとも１つのプロセッサを備える、無線通信のための装置。
【請求項２４】
前記少なくとも１つのプロセッサは、送信局に対する干渉を低減させることを少なくとも１つの干渉する局に要求する干渉低減要求を備える前記シグナリングメッセージを生成するように構成される請求項２３に記載の装置。
【請求項２５】
前記少なくとも１つのプロセッサは、前記複数のリソースエレメントによって形成されたリソースエレメントの複数の組を決定し、各符号シンボルに関して１つのリソースエレメント組を決定し、そして対応する符号シンボルに基づいてリソースエレメントの各組において１つのリソースエレメントを選択するように構成されている、請求項２３に記載の装置。
【請求項２６】
リソースエレメントの各組は、１つのシンボル期間における複数の副搬送波を網羅し、前記少なくとも１つのプロセッサは、各シンボル期間において、前記シンボル期間において送信すべき符号シンボルに基づいて前記複数の副搬送波のうちの１つを選択するように構成される請求項２５に記載の装置。
【請求項２７】
リソースエレメントの各組は、複数のシンボル期間における１つの副搬送波を網羅し、前記少なくとも１つのプロセッサは、各副搬送波において、前記副搬送波において送信すべき符号シンボルに基づいて前記複数のシンボル期間のうちの１つを選択するように構成される請求項２５に記載の装置。
【請求項２８】
コンピュータ読み取り可能な格納媒体であって、
複数の符号シンボルにシグナリングメッセージをマッピングすることを少なくとも１つのコンピュータに行わせるための符号と、
前記複数の符号シンボルに基づいて複数のリソースエレメントの中から複数のリソースエレメントを選択することを前記少なくとも１つのコンピュータに行わせるための符号と、
前記選択されたリソースエレメントにおいて送信電力を有し且つ前記複数のリソースエレメントのうちの残りのリソースエレメントにおいて送信電力を有さないビーコン信号を生成することを前記少なくとも１つのコンピュータに行わせるための符号と、
送信局から前記送信局と非同期的に動作する少なくとも１つの受信局に前記ビーコン信号を送信すること前記少なくとも１つのコンピュータに行わせるための符号と、を備え、
ここで、前記ビーコン信号の副搬送波は、予約された副搬送波の組又は予約された副搬送波の部分組の中であり、ここで前記予約された副搬送波の組又は予約された副搬送波の部分組と、予約されていない副搬送波帯域との間にはガード副搬送波が設定される、
コンピュータによって読み取り可能な格納媒体。
【請求項２９】
無線通信ネットワークにおけるビーコン信号のシグナリングを受信するための方法であって、
シグナリングメッセージを送信するために使用可能な複数のリソースエレメントから受信されたシンボルを得ることと、
前記受信されたシンボルに基づいて前記複数のリソースエレメントの中で高い受信された電力を有するリソースエレメントを識別することと、
前記複数のリソースエレメントの中の前記識別されたリソースエレメントの位置に基づいて前記複数のリソースエレメントにおいて送信されたシグナリングメッセージの有無を検出することと、を備え、各シグナリングメッセージは、前記シグナリングメッセージに基づいて前記複数のリソースエレメントの中から選択された複数のリソースエレメントにおいて送信され、
ここで、前記ビーコン信号の副搬送波は、予約された副搬送波の組又は予約された副搬送波の部分組の中であり、ここで前記予約された副搬送波の組又は予約された副搬送波の部分組と、予約されていない副搬送波帯域との間にはガード副搬送波が設定される、
無線通信ネットワークにおけるビーコン信号のシグナリングを受信する方法。
【請求項３０】
前記検出されたシグナリングメッセージから干渉低減要求を得ることと、
前記干渉低減要求に基づいて送信電力を低減させること、とをさらに備える請求項２９に記載の方法。
【請求項３１】
各シグナリングメッセージは、複数の符号語のうちの１つにマッピングされ、各符号語は、前記複数のリソースエレメントの中のＬのリソースエレメントの異なる組み合わせにマッピングされ、Ｌは１よりも大きく、シグナリングメッセージの有無を前記検出することは、
識別されたリソースエレメントにマッチするＬのリソースエレメントのうちの少なくともＤのリソースエレメントを各々有する候補符号語を識別し、ＤはＬよりも小さいことと、
前記候補符号語に基づいて前記複数のリソースエレメントにおいて送信されたシグナリングメッセージの有無を検出すること、とを備える請求項２９に記載の方法。
【請求項３２】
シグナリングメッセージの有無を前記検出することは、
各候補符号語に関するマッチしたリソースエレメントの数及び類似のリソースエレメントの数に基づいて除去すべき候補符号語を識別することと、
除去のために識別された各候補符号語を除去することと、
除去されない候補符号語に基づいて前記複数のリソースエレメントにおいて送信されたシグナリングメッセージの有無を検出すること、とをさらに備える請求項３１に記載の方法。
【請求項３３】
シグナリングメッセージの有無を前記検出することは、
低い受信された電力を有する各候補符号語を除去することと、
除去されない候補符号語に基づいて前記複数のリソースエレメントにおいて送信されたシグナリングメッセージの有無を検出すること、とをさらに備える請求項３１に記載の方法。
【請求項３４】
前記複数のリソースエレメントによって形成されるリソースエレメントのＬの組を決定することをさらに備え、Ｌは１よりも大きく、各シグナリングメッセージは、複数の符号語のうちの１つにマッピングされ、各符号語は、リソースエレメントの前記Ｌの組内のＬのリソースエレメントにマッピングされ、各組内に１つのマッピングされたリソースエレメントである請求項２９に記載の方法。
【請求項３５】
高い受信された電力を有するリソースエレメントを前記識別することは、リソースエレメントの各組において高い受信された電力を有するリソースエレメントを識別することを備え、シグナリングメッセージの有無を前記検出することは、リソースエレメントの各組内の前記識別されたリソースエレメントの位置に基づいてシグナリングメッセージの有無を検出することを備える請求項３４に記載の方法。
【請求項３６】
リソースエレメントの各組は、１つのシンボル期間における複数の副搬送波を網羅し、高い受信された電力を有するリソースエレメントを前記識別することは、リソースエレメントの組に対応する各シンボル期間において高い受信された電力を有する副搬送波を識別することを備える請求項３４に記載の方法。
【請求項３７】
リソースエレメントの各組は、複数のシンボル期間における１つの副搬送波を網羅し、高い受信された電力を有するリソースエレメントを前記識別することは、リソースエレメントの組に対応する各副搬送波において高い受信された電力を有するシンボル期間を識別することを備える請求項３４に記載の方法。
【請求項３８】
ビーコン信号を使用する無線通信のための装置であって、
シグナリングメッセージを送信するために使用可能な複数のリソースエレメントから受信されたシンボルを得るための手段と、
前記受信されたシンボルに基づいて前記複数のリソースエレメントの中で高い受信された電力を有するリソースエレメントを識別するための手段と、
前記複数のリソースエレメントの中の前記識別されたリソースエレメントの位置に基づいて前記複数のリソースエレメントにおいて送信されたシグナリングメッセージの有無を検出するための手段と、を備え、各シグナリングメッセージは、前記シグナリングメッセージに基づいて前記複数のリソースエレメントの中から選択された複数のリソースエレメントにおいて送信され、
ここで、前記ビーコン信号の副搬送波は、予約された副搬送波の組又は予約された副搬送波の部分組の中であり、ここで前記予約された副搬送波の組又は予約された副搬送波の部分組と、予約されていない副搬送波帯域との間にはガード副搬送波が設定される、
無線通信のための装置。
【請求項３９】
前記検出されたシグナリングメッセージから干渉低減要求を得るための手段と、
前記干渉低減要求に基づいて送信電力を低減させるための手段と、をさらに備える請求項３８に記載の装置。
【請求項４０】
各シグナリングメッセージは、複数の符号語のうちの１つにマッピングされ、各符号語は、リソースエレメントのＬの組内のＬのリソースエレメントにマッピングされ、各組内に１つのマッピングされたリソースエレメントである請求項３８に記載の装置。
【請求項４１】
リソースエレメントの各組は、１つのシンボル期間における複数の副搬送波を網羅し、高い受信された電力を有するリソースエレメントを識別するための前記手段は、リソースエレメントの組に対応する各シンボル期間において高い受信された電力を有する副搬送波を識別するための手段を備える請求項４０に記載の装置。
【請求項４２】
リソースエレメントの各組は、複数のシンボル期間における１つの副搬送波を網羅し、高い受信された電力を有するリソースエレメントを識別するための前記手段は、リソースエレメントの組に対応する各副搬送波において高い受信された電力を有するシンボル期間を識別するための手段を備える請求項４０に記載の装置。
【発明の詳細な説明】
【技術分野】
【０００１】
本出願は、“ORTHOGONAL RESOURCE UTILIZATION MESSAGE(RUＭ) DESIGN”（直交リソース利用メッセージ（ＲＵＭ）設計）という題名を有し、ここの譲受人に割り当てられており、引用されることによってここに組み入れられている、米国仮特許出願一連番号第６１／０４０，４８９号（出願日：２００８年３月２８日）に対する優先権を主張するものである。
【０００２】
本開示は、概して、通信に関するものである。本開示は、より具体的には、無線通信ネットワークにおいてシグナリングメッセージを送信及び受信するための技法に関するものである。
【背景技術】
【０００３】
様々な通信サービス、例えば、音声、映像、パケットデータ、メッセージ伝送、ブロードキャスト、等、を提供することを目的として無線通信ネットワークが広範囲にわたって配備されている。これらの無線ネットワークは、利用可能なネットワークリソースを共有することによって複数のユーザをサポートすることが可能な多元接続ネットワークであることができる。該多元接続ネットワークの例は、符号分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一搬送波ＦＤＭＡ（ＳＣ−ＦＤＭＡ）ネットワークと、を含む。
【０００４】
無線通信ネットワークは、複数のユーザ装置（ＵＥ）のための通信をサポートすることが可能な複数の基地局を含むことができる。基地局は、様々な目的でＵＥにシグナリングメッセージを送信することができる。ＵＥも、様々な目的で基地局にシグナリングメッセージを送信することができる。シグナリングメッセージは、基地局とＵＥとの間における通信をサポートするのに有用であることができる。シグナリングメッセージを効率的に及び信頼できる形で送信するのが望ましい。
【発明の概要】
【０００５】
ここにおいては、無線通信ネットワークにおいてシグナリングメッセージを送信するための技法が説明される。一態様において、シグナリングメッセージ（例えば、干渉低減要求）は、ビーコン信号を用いて送信することができる。ビーコン信号は、リソースエレメント（ｒｅｓｏｕｒｃｅ  ｅｌｅｍｅｎｔ）において送信される変調シンボルでではなく、信号のために用いられる特定のリソースエレメントによって情報が搬送される信号である。前記ビーコン信号のために用いられる前記リソースエレメントは、前記ビーコン信号において送信される情報に基づいてリソースエレメントのグループから選択することができる。典型的には、前記選択されたリソースエレメントに関しては高電力が用いられ、選択されないリソースエレメントに関しては低電力を用いるか又は電力を用いないことができる。
【０００６】
一設計においては、送信局は、シグナリングメッセージ、例えば前記送信局に対する干渉を低減させるように少なくとも１つの干渉中の局に要求する干渉低減要求、を生成することができる。前記送信局は、前記シグナリングメッセージを少なくとも１つの情報シンボルにマッピングすることができ、そして複数（マルチプル）の符号シンボルを得るためにブロック符号に従って前記少なくとも１つの情報シンボルを符号化することができる。前記送信局は、前記複数の符号シンボルに基づいて複数のリソースエレメントの中から複数のリソースエレメントを選択することができる。前記送信局は、前記選択されたリソースエレメントにおいて送信電力を有しそして残りのリソースエレメントにおいて送信電力を有さないビーコン信号を生成することができる。前記送信局は、少なくとも１つの受信局に前記ビーコン信号を送信することができる。
【０００７】
前記複数のリソースエレメントを用いてリソースエレメントの複数の組を形成することができ、各符号シンボルに関して１つのリソースエレメント組である。一設計においては、各符号シンボルは、１つのシンボル期間において周波数上で（ａｃｒｏｓｓ  ｆｒｅｑｕｅｎｃｙ）送信することができる。この設計においては、リソースエレメントの各組は、１つのシンボル期間において複数の副搬送波を網羅することができる。前記複数の副搬送波のうちの１つは、各シンボル期間において、そのシンボル期間に送信すべき符号シンボルに基づいて選択することができる。他の設計においては、各符号シンボルは、１つの副搬送波で時間にわたって（ａｃｒｏｓｓ  ｔｉｍｅで）送信することができる。この設計においては、リソースエレメントの各組は、複数のシンボル期間における１つの副搬送波を網羅することができる。各副搬送波における前記複数のシンボル期間のうちの１つは、その副搬送波において送信すべき符号シンボルに基づいて選択することができる。
【０００８】
本開示の様々な態様及び特徴が以下においてさらに詳細に説明される。
【図面の簡単な説明】
【０００９】
【図１】無線通信ネットワークを示した図である。
【図２】干渉軽減を伴うダウンリンクデータ送信を示した図である。
【図３】干渉軽減を伴うアップリンクデータ送信を示した図である。
【図４Ａ】シグナリングメッセージのために予約された周波数リソースを示したである。
【図４Ｂ】シグナリングメッセージのために予約された周波数リソースを示したである。
【図５】周波数にわたるビーコン信号の送信を示した図である。
【図６】ビーコン信号の有無を検出するためのプロセスを示した図である。
【図７】時間にわたるビーコン信号の送信を示した図である。
【図８】非同期動作とのシンボルタイミングの不整合を示した図である。
【図９】送信局及び受信局に関するタイミング図である。
【図１０】シンボルタイミングの不整合に対処するためのシンボルの繰り返しを示した図である。
【図１１】ビーコンシンボルの繰り返しを有するタイミング図である。
【図１２】無線ネットワークにおいてシグナリングを送信するためのプロセスを示した図である。
【図１３】無線ネットワークにおいてシグナリングを送信するための装置を示した図である。
【図１４】無線ネットワークにおいてシグナリングを受信するためのプロセスを示した図である。
【図１５】無線ネットワークにおいてシグナリングを受信するための装置を示した図である。
【図１６】基地局及びＵＥのブロック図である。
【発明を実施するための形態】
【００１０】
ここにおいて説明される技法は、様々な無線通信ネットワーク、例えばＣＤＭＡ、ＴＤＭＡ、ＦＤＭＡ、ＯＦＤＭＡ、ＳＣ−ＦＤＭＡ及びその他のネットワーク、に関して用いることができる。“ネットワーク”及び“システム”という用語は、しばしば互換可能な形で用いられる。ＣＤＭＡネットワークは、ユニバーサル地上無線アクセス（ＵＴＲＡ）、ｃｄｍａ２０００、等の無線技術を実装することができる。ＵＴＲＡは、広帯域ＣＤＭＡ（ＷＣＤＭＡ）と、ＣＤＭＡのその他の変形と、を含む。ｃｄｍａ２０００は、ＩＳ−２０００、ＩＳ−９５及びＩＳ−８５６規格を網羅する。ＴＤＭＡネットワークは、グローバル移動通信システム（ＧＳＭ（登録商標））等の無線技術を実装することができる。ＯＦＤＭＡネットワークは、ＥｖｏｌｖｅｄＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、等の無線技術を実装することができる。ＵＴＲＡ及びＥ−ＵＴＲＡは、ユニバーサル移動通信システム（ＵＭＴＳ）の一部である。３ＧＰＰロング・ターム・エボリューション（ＬＴＥ）及びＬＴＥ−Ａｄｖａｎｃｅｄ （ＬＴＥ−Ａ）は、Ｅ−ＵＴＲＡを使用するＵＭＴＳの新しいリリース版である。ＵＴＲＡ、Ｅ−ＵＴＲＡ、ＵＭＴＳ、ＬＴＥ、ＬＴＥ−Ａ及びＧＳＭは、“第３世代パートナーシッププロジェクト”（３ＧＰＰ）という名称の組織から発行された文書において説明されている。ｃｄｍａ２０００及びＵＭＢは、“第３世代パートナーシッププロジェクト２”（３ＧＰＰ２）という名称の組織から発行された文書において説明されている。ここにおいて説明される技法は、上述される無線ネットワーク及び無線技術、及びその他の無線ネットワーク及び無線技術のために用いることができる。
【００１１】
図１は、無線通信ネットワーク１００を示し、幾つかの基地局１１０と、その他のネットワークエンティティと、を含むことができる。基地局は、ＵＥと通信する局であることができ、ノードＢ、ｅｖｏｌｖｅｄ  ＮｏｄｅＢ（ｅＮＢ）、アクセスポイント、等と呼ばれることもある。各基地局１１０は、特定の地理上のエリアのための通信カバレッジを提供することができる。用語“セル”は、カバレッジエリアにサービスを提供する基地局及び／又は基地局サブシステムのこのカバレッジエリアを意味することができる。
【００１２】
基地局は、マクロセル、ピコセル、フェムトセル、等のための通信カバレッジを提供することができる。マクロセルは、相対的に大きな地理上のエリア（例えば、半径数キロメートル）を網羅することができ、サービス契約を有するＵＥによる無制限のアクセスを許可することができる。ピコセルは、相対的に小さい地理上のエリアを網羅することができ、サービス契約を有するＵＥによる無制限のアクセスを許可することができる。フェムトセルは、相対的に小さい地理上のエリア（例えば家庭）を網羅することができ、フェムトセルと関連するＵＥによる制限されたアクセスを許可することができる。マクロセルのための基地局は、マクロ基地局と呼ぶことができる。ピコセルのための基地局は、ピコ基地局と呼ぶことができる。フェムトセルのための基地局は、フェムトセル基地局又はホーム基地局と呼ぶことができる。
【００１３】
図１に示される例において、基地局１１０ａ、１１０ｂ及び１１０ｃは、それぞれマクロセル１０２ａ、１０２ｂ及び１０２ｃのためのマクロ基地局であることができる。基地局１１０ｘは、ピコセル１０２ｘのためのピコ基地局であることができる。基地局１１０ｙは、フェムトセル１０２ｙのためのフェムト基地局であることができる。ピコセル及びフェムトセルは、（例えば図１に示される）マクロセル内に位置することができ及び／又はマクロセルと重なり合うことができる。
【００１４】
無線ネットワーク１００は、中継局、例えば中継局１１０ｚ、を含むこともできる。中継局は、上流局からのデータ及び／又はその他の情報の送信を受信し、そのデータ及び／又はその他の情報の送信を下流局に送る局である。ネットワークコントローラ１３０は、一組の基地局に結合し、これらの基地局のための調整及び制御を提供することができる。ネットワークコントローラ１３０は、単一のネットワークエンティティ又はネットワークエンティティの集合であることができる。
【００１５】
ＵＥ１２０は、無線ネットワーク１００全体に分散させることができ、各ＵＥは、静止型又は移動型であることができる。ＵＥは、端末、移動局、加入者ユニット、局、等と呼ばれることもある。ＵＥは、携帯電話、パーソナルデジタルアシスタント（ＰＤＡ）、無線モデム、無線通信デバイス、ハンドヘルドデバイス、ラップトップコンピュータ、コードレスフォン、無線ローカルループ（ＷＬＬ）局、等であることができる。ＵＥは、ダウンリンク及びアップリンクを介して基地局と通信することができる。ダウンリンク（又は順方向リンク）は、基地局からＵＥへの通信リンクを意味し、アップリンク（又は逆方向リンク）は、ＵＥから基地局への通信リンクを意味する。ＵＥは、マクロ基地局、ピコ基地局、フェムト基地局、中継局、等と通信することができる。図１において、２つの矢印を有する実線は、ＵＥとサービスを提供する基地局との間における希望される送信を示し、サービスを提供する基地局は、ダウンリンク及び／又はアップリンクにおいてＵＥにサービスを提供するように指定された基地局である。２つの矢印を有する破線は、ＵＥと基地局との間において干渉している送信を示す。
【００１６】
無線ネットワーク１００は、マクロ基地局のみを含む同種ネットワークであることができる。無線ネットワーク１００は、異なるタイプの基地局、例えばマクロ基地局、ピコ基地局、フェムト基地局、中継局、等を含む異種ネットワークであることもできる。これらの異なるタイプの基地局は、無線ネットワーク１００において異なる送信電力レベル、異なるカバレッジエリア、及び干渉に対する異なる影響を有することがある。例えば、マクロ基地局は、高い送信電力レベル（例えば２０ワット）を有することができ、他方、ピコ基地局及びフェムト基地局は、それよりも低い送信電力レベル（例えば１ワット）を有することができる。ここにおいて説明される技法は、同種ネットワーク及び異種ネットワークのために用いることができる。
【００１７】
無線ネットワーク１００は、同期ネットワーク又は非同期ネットワークであることができる。同期ネットワークにおいては、基地局は、同じフレームタイミングを有することができ、異なる基地局からの送信を時間的に整合させることができる。非同期ネットワークにおいては、基地局は、異なるフレームタイミングを有することができ、異なる基地局からの送信を時間的に整合させることができない。ここにおいて説明される技法は、同期ネットワーク及び非同期ネットワークのために用いることができる。
【００１８】
無線ネットワーク１００は、直交周波数分割多重（ＯＦＤＭ）及び／又は単一搬送波周波数分割多重（ＳＣ−ＦＤＭ）を利用することができる。例えば、無線ネットワーク１００は、ダウンリンクにおいてＯＦＤＭ及びアップリンクにおいてＳＣ−ＦＤＭを利用するＬＴＥネットワークであることができる。ＯＦＤＭ及びＳＣ−ＦＤＭは、システム帯域幅を複数（ＮＦＦＴ）の副搬送波に分割し、これらは、トーン、ビン、等と呼ぶことができる。隣接する副搬送波間の間隔は、固定することができ、及び副搬送波の総数（ＮＦＦＴ）は、システム帯域幅に依存することができる。例えば、ＮＦＦＴは、１．２５、２．５、５、１０又は２０ＭＨｚのシステム帯域幅に関してそれぞれ１２８、２５６、５１２、１０２４又は２０４８であることができる。
【００１９】
ＵＥは、干渉電力が希望される信号電力よりも高いことを特徴とする強干渉シナリオにおいて、サービスを提供する基地局と通信することができる。ダウンリンクにおいては、ＵＥは、１つ以上の干渉する基地局からの高い干渉を受ける可能性がある。アップリンクにおいては、サービスを提供する基地局は、１つ以上の干渉するＵＥからの高い干渉を受ける可能性がある。強干渉シナリオは、範囲の拡大に起因することがあり、それは、ＵＥがＵＥによって検出された複数の基地局の中でより低い経路損失及びより低いジオメトリ（ｇｅｏｍｅｔｒｙ）を有する基地局に接続するシナリオである。例えば、図１のＵＥ１２０ｘは、より低い経路損失及びより低いジオメトリを有するピコ基地局１１０ｘと通信することができ及びマクロ基地局１１０ｂから高い干渉を受ける可能性がある。これは、無線ネットワークに対する干渉を低減させてＵＥのための所定のデータレートを達成させるのに望ましいことがある。強干渉シナリオは、制限された関連性に起因することもあり、それは、ＵＥがアクセスが制限された強い基地局に接続することができずアクセスが制限されないより弱い基地局に接続することができるシナリオである。例えば、図１のＵＥ１２０ｙは、フェムト基地局１１０ｙに接続することができず、マクロ基地局１１０ｃに接続することができる。ＵＥ１２０ｙは、フェムト基地局１１０ｙから高い干渉を受ける可能性があり及びこの基地局に対して高い干渉を引き起こす可能性もある。
【００２０】
データ送信の性能を向上させるために所定のリンクにおいて干渉を軽減（例えば、回避又は低減）するために干渉軽減を用いることができる。干渉軽減は、セル分割利得を提供するために用いることもできる。例えば、マクロ基地局は、異なるＥＵに対して同時にサービスを提供するために複数のピコ基地局によって用いることができるリソースを予約することができる。干渉軽減に関して、干渉する局は、対象となる局のための希望される送信に関してより高い受信信号の品質を達成できるように送信電力を無効にする（ｂｌａｎｋ）又は低減させることができ又は送信をビーム誘導（ｂｅａｍｓｔｅｅｒ）することができる。ここでの説明においては、局は、基地局、ＵＥ、中継局、等であることができる。受信された信号の品質は、信号対雑音対干渉比（ＳＩＮＲ）又はその他のメトリックによって定量化することができる。
【００２１】
図２は、干渉軽減を伴うダウンリンクデータ送信方式２００の設計を示す。サービスを提供する基地局は、ＵＥに送信するデータを有することができ及びＵＥがダウンリンクにおいて高い干渉を受けているのを知っていることができる。例えば、サービスを提供する基地局は、ＵＥからパイロット測定報告を受信することができ、これらの報告は、強力な干渉する基地局を示す及び／又は識別することができる。サービスを提供する基地局は、干渉軽減トリガをＵＥに送信することができる。このトリガは、ダウンリンクにおいて干渉を低減させることを干渉中の基地局に要求するようにＵＥに促すことができる。このトリガは、干渉を低減させる対象となる特定のリソース、要求の優先度、及び／又はその他の情報を搬送することも可能である。
【００２２】
ＵＥは、サービスを提供する基地局から干渉軽減トリガを受信することができ及び干渉低減要求を送信することができる。干渉低減要求は、リソース利用メッセージ（ＲＵＭ）と呼ぶこともできる。ＵＥは、干渉低減要求を（ｉ）強力な干渉する基地局のみに対するユニキャストメッセージとして又は（ｉｉ）すべての近隣基地局に対するブロードキャストメッセージとして送信することもできる。干渉低減要求は、指定されたリソースにおける干渉を低減させるように干渉する基地局に要求することができ及び要求の優先度、ＵＥに関する目標とする干渉レベル、及び／又はその他の情報を搬送することもできる。
【００２３】
干渉する基地局は、干渉低減要求をＵＥから受信することができ及びその要求を受け入れる又は拒否することができる。要求が受け入れられた場合は、干渉する基地局は、ＵＥに対する干渉を低減させるために送信電力を調整すること及び／又は送信をステアリングすることができる。一設計において、干渉する基地局は、様々な要因、例えばバッファ状態、要求の優先度、ＵＥの目標となる干渉レベル、等、に基づいて指定されたリソースにおいて用いる送信電力レベルＰｄを決定することができる。干渉する基地局は、Ｐｐｄｐの電力レベルで電力決定パイロットを送信することができ、ここで、Ｐｐｄｐは、Ｐｄに等しいこと又はＰｄのスケーリングされた値であることができる。
【００２４】
ＵＥは、すべての干渉する基地局及びサービスを提供する基地局から電力決定パイロットを受信することができる。ＵＥは、受信されたパイロットに基づいて指定されたリソースのＳＩＮＲを推定し、ＳＩＮＲ推定値に基づいてチャネル品質インジケータ（ＣＱＩ）情報を決定し、及びサービスを提供する基地局にＣＱＩ情報を送信することができる。
【００２５】
サービスを提供する基地局は、ＵＥからＣＱＩ情報を受信することができ及び割り当てられたリソースにおけるデータ送信のためにＵＥをスケジューリングすることができ、割り当てられたリソースは、指定されたリソース全部又は部分組を含むことができる。サービスを提供する基地局は、ＣＱＩ情報に基づいて変調及び符号化方式（ＭＣＳ）を選択することができ及び選択されたＭＣＳに従ってデータパケットを処理することができる。サービスを提供する基地局は、ダウンリンク（ＤＬ）許可を生成することができ、割り当てられたリソース、選択されたＭＣＳ、等を含むことができる。サービスを提供する基地局は、ダウンリンク許可及びパケット送信をＵＥに送ることができる。ＵＥは、ダウンリンク許可及びパケット送信を受信することができ及び選択されたＭＣＳに従って受信された送信を復号することができる。次に、ＵＥは、パケットがＵＥによって正確に又は誤って復号されたかどうかを示すことができる肯定応答（ＡＣＫ）情報を生成することができ、サービスを提供する基地局にＡＣＫ情報を送信することができる。
【００２６】
図３は、干渉軽減を伴うアップリンクデータ送信方式３００の設計を示す。ＵＥは、サービスを提供する基地局に送信するデータを有することができ及びリソース要求を送信することができる。リソース要求は、要求の優先度、ＵＥによって送信すべきデータの量、等を示すことができる。サービスを提供する基地局は、リソース要求を受信することができ及び特定のリソースにおけるＵＥの送信能力を要求する送信能力要求をＵＥに送信することができる。サービスを提供する基地局は、特定のリソースにおける干渉を低減させるように干渉するＵＥに対して要求する干渉低減要求を送信することもできる。サービスを提供する基地局は、干渉低減要求を（ｉ）強力に干渉するＵＥのみに対するユニキャストメッセージとして又は（ｉｉ）すべての干渉するＵＥに対するブロードキャストメッセージとして送信することができる。
【００２７】
ＵＥは、サービスを提供する基地局から送信能力要求を受信することができ、また近隣基地局から干渉低減要求を受信することもできる。ＵＥは、近隣基地局からの干渉低減要求に基づいて指定されたリソースにおいて用いることができる送信電力レベルを決定することができる。ＵＥは、電力決定パイロットを介してこの送信電力レベルを搬送することができる。
【００２８】
サービスを提供する基地局は、ＵＥから及び干渉するＵＥから電力決定パイロットを受信することができる。サービスを提供する基地局は、受信されたパイロットに基づいて指定されたリソースのＳＩＮＲを推定することができ及びＳＩＮＲ推定値に基づいてＵＥのためのＭＣＳを選択することができる。サービスを提供する基地局は、選択されたＭＣＳ、割り当てられたリソース、割り当てられたリソースのために用いる送信電力レベル、等を含むことができるアップリンク許可を生成及び送信することができる。ＵＥは、アップリンク許可を受信し、選択されたＭＣＳに従ってパケットを処理し、及び割り当てられたリソースにおいてパケット送信を送ることができる。サービスを提供する基地局は、ＵＥからのパケット送信を受信し、受信された送信を復号し、復号結果に基づいてＡＣＫ情報を決定し、及びＡＣＫ情報をＵＥに送信することができる。
【００２９】
図２及び３に示されるように、干渉軽減をサポートするために様々なシグナリングメッセージをダウンリンク及びアップリンクにおいて送信することができる。各シグナリングメッセージは、あらゆるタイプの情報を含むことができる。例えば、干渉低減要求は、以下の情報の一部又は全部を含むことができる。
【００３０】
・リソースインデックス−より低い干渉が要求されるリソースを識別する
・優先度レベル−干渉低減要求の優先度を示す
・空間フィードバック情報−送信元から離れるようにビーム誘導するために用いられる
・送信機アイデンティティ（ＩＤ）−干渉低減要求の送信元を識別する
干渉低減要求は、異なる及び／又は追加の情報を含むこともできる。
【００３１】
特定のタイプのシグナリングメッセージ（例えば干渉低減要求）を、そのタイプのシグナリングメッセージを送信するために予約可能なリソースにおいて送信することができる。リソースは、様々な方法で予約することができる。一設計においては、予約されたリソースは、常時利用可能であることができる周波数リソースを備えることができる。この設計は、非同期ネットワークのために特に利用可能である。他の設計においては、予約されたリソースは、特定の時間リソースと周波数リソースとを備えることができる。この設計は、同期ネットワークのためにより利用可能である。
【００３２】
図４Ａは、特定のタイプのシグナリングメッセージ、例えば干渉低減要求、を送信するための周波数リソースを予約する設計を示す。この設計においては、シグナリングメッセージを送信するために一組の隣接する副搬送波を予約することができる。概して、副搬送波の組は、システム帯域幅内のあらゆる場所に配置することができる。一設計においては、データ、等を送信するために用いられる予約されていない副搬送波から予約された副搬送波を保護／隔離するために１つ以上のガード副搬送波を用いることができる。例えば、図４Ａに示されるように、予約された副搬送波の各側において１つのガード副搬送波を用いることができる。ガード副搬送波は、予約された副搬送波において送信されるシグナリングメッセージを予約されない副搬送波での送信に起因する搬送波間干渉（ＩＣＩ）から保護することができ、これは、そのシグナリングメッセージの検出を向上させることが可能である。
【００３３】
図４Ｂは、特定のタイプのシグナリングメッセージ、例えば干渉低減要求、を送信するための周波数リソースを予約する他の設計を示す。この設計においては、シグナリングメッセージを送信するために一組の副搬送波を予約することができ及び隣接する副搬送波の２つの部分組を備えることができる。各部分組は、予約された副搬送波の１／２を含むことができる。概して、副搬送波の部分組は、システム帯域幅内のいずれの場所にも配置することができる。４Ｂに示される設計においては、２つの部分組は、システム帯域幅の２つの縁部に配置される。一設計においては、図４Ｂに示されるように、予約された副搬送波の各部分組を予約されていない副搬送波から保護するために１つ以上のガード副搬送波を用いることができる。
【００３４】
図４Ａ及び４Ｂは、特定のタイプのシグナリングメッセージを送信するための周波数リソースを予約する２つの典型的設計を示す。シグナリングメッセージを送信するために時間及び／又は周波数リソースはその他の方法で予約することもできる。例えば、シグナリングメッセージを送信するために副搬送波の３つ以上の部分組を予約することができる。他の例として、シグナリングメッセージを送信するために時間−周波数リソースのブロックを予約することができる。これは、同期動作に特に利用可能である。
【００３５】
一設計においては、異なる電力種別の基地局によってシグナリングメッセージを送信するために異なるリソース（例えば副搬送波の異なる組、時間−周波数リソースの異なるブロック、等）を予約することができる。他の設計においては、シグナリングメッセージを異なる送信電力レベルで送信するために異なるリソースを予約することができる。送信局は、その送信局の電力種別、送信局から受信局までの距離、等に基づいて選択することができる１つの予約された副搬送波組においてシグナリングメッセージを送信することができる。
【００３６】
一設計においては、特定のタイプのシグナリングメッセージを送信するために異なるセルに関して異なるリソースを予約することができる。この１つのセルごとの設計は、異なるセルからのシグナリングメッセージ間の衝突を回避することができる。他の設計においては、特定のタイプのシグナリングメッセージを送信するためにすべてのセルに関して同じリソースを予約することができる。このグローバルな設計は、シグナリングメッセージを送信するためのオーバーヘッドを低減させることができる。シグナリングメッセージを送信するために用いられるリソースは、予約すること及びその他の送信からの干渉を免れることができる。基地局は、その基地局がシグナリングメッセージのために予約されたリソースを使用しない場合でもこれらのリソースをクリア（ｃｌｅａｒ）することができる。
【００３７】
図２及び３のシグナリングメッセージ、及び基地局とＵＥとの間の通信をサポートするために用いられるその他のシグナリングメッセージは、様々な方法で送信することができる。特定のタイプのシグナリングメッセージ（例えば、干渉低減要求）は、そのシグナリングメッセージを送信するために予約されたリソースにおいて送信することができる。
【００３８】
一態様においては、シグナリングメッセージ（例えば干渉低減要求）は、ビーコン信号を用いて送信することができる。ビーコン信号は、様々な方法で生成することができる。
【００３９】
第１のビーコン設計においては、ビーコン信号のための各符号シンボルは、周波数にわたって送信することができる。シグナリングメッセージ（例えば干渉低減要求）は、ガロア体（Ｇａｌｏｉｓ  ｆｉｅｌｄ）（ＧＦ）（Ｎ）内のＳの情報シンボルにマッピングすることができ、ここで、Ｓ＞１及びＮ＞１である。各情報シンボルは、０乃至Ｎ−１の範囲内の値を有することができる。Ｓの情報シンボルは、ブロック符号（例えばリード−ソロモン符号）を用いて符号化し、ＧＦ（Ｎ）内のＴの符号シンボルを備える符号語を得ることができる。各符号シンボルは、１つのシンボル期間において送信することができる。各シンボル期間において、Ｎの副搬送波のうちの１つは、そのシンボル期間に送信された符号シンボルの値に基づいて選択されることができる。選択された副搬送波は、ビーコン副搬送波と呼ぶことができる。ＯＦＤＭシンボル又はＳＣ−ＦＤＭＡシンボルはビーコン副搬送波において高い送信電力を有し、そして残りの副搬送波においては低い電力を有するか又は電力を有さないことができる。このＯＦＤＭシンボル又はＳＣ−ＦＤＭＡシンボルは、ビーコンシンボルと呼ぶことができ、１つのシンボル期間において送信することができる。ビーコン信号は、Ｔの符号シンボルを用いて生成されたＴのビーコンシンボルを備えることができる。Ｔのビーコンシンボルは、Ｔの連続する又は連続しないシンボル期間において送信することができ、各ビーコンシンボルに関して１つのシンボル期間である。
【００４０】
シグナリングメッセージにおいて送信することができる情報ビットの数（Ｂ）は、ＧＦのサイズ（Ｎ）及び情報シンボルの数（Ｓ）に依存することができ、次のように表すことができる。
【数１】
0005431448.tif 000002
【００４１】
ｘと等しいか又はそれよりも小さい最大の整数を提供するフロア演算子（ｆｌｏｏｒ  ｏｐｅｒａｔｏｒ）を表す。ＧＦのサイズが大きいほど及び／又は情報シンボルが多いほどより多くの情報ビットを送信することができる。ＧＦのサイズは、様々な要因、例えばシグナリングメッセージを送信するために予約すべき周波数リソース量、ブロック符号の設計、等、に基づいて選択することができる。シグナリングメッセージの信頼性は、符号レートＳ／Ｔに依存することができる。所定のＳに関しては、符号シンボルが多いほどより高い信頼性を達成することができ、これは、ビーコン信号を送信するためのより多くのリソースを要求する。
【００４２】
図５は、第１のビーコン設計によりビーコン信号を用いてシグナリングメッセージ（例えば干渉低減要求）を送信するための典型的な送信５００を示す。この例においては、ビーコン信号は、Ｔ＝７のシンボル期間においてＮ＝３１の副搬送波を網羅するリソースセグメントにおいて送信される。１４ビットのシグナリングメッセージをＧＦ（３１）におけるＳ＝３の情報シンボルにマッピングすることができる。３つの情報シンボルは、（７、３）リード−ソロモン符号を用いてを符号化し、ＧＦ（３１）においてＴ＝７の符号シンボルを備える符号語を得ることができる。３１のＧＦサイズは、リード−ソロモン符号の設計を単純化することができるが、その他のＧＦサイズも使用可能である。各符号シンボルは、１つのシンボル期間においてＮ＝３１の副搬送波のうちの１つを選択するために用いることができる。７つのシンボル期間に７つの符号シンボルによって７つのビーコン副搬送波を選択することができる。各シンボル期間において、ビーコン副搬送波において高い送信電力を有し且つ選択されない副搬送波において送信電力を有さないビーコンシンボルを生成することができる。各ビーコンシンボルは、１つのシンボル期間において送信することができる。
【００４３】
図５は、７つのシンボル期間における３１の副搬送波を網羅するリソースセグメントの一部のみを示す。図５は、リソースセグメントにおける２つのシグナリングメッセージ（例えば２つの干渉低減要求）のための２つのビーコン信号の送信も示す。１つのビーコン信号のためのビーコン副搬送波は、“ｘ”のラベルが付され、他方のビーコン信号のためのビーコン副搬送波は、“ｏ”のラベルが付される。送信局（例えばＵＥ）は、典型的に、例えば“ｘ”のラベルが付された副搬送波又は“ｏ”のラベルが付された副搬送波のいずれかにおいて、リソースセグメントにおいて１つのビーコン信号のみを送信する。受信局（例えば基地局）は、例えば図５に示されるように、リソースセグメントにおいて複数の送信局からビーコン信号を受信することができる。
【００４４】
図５に示されるリソースセグメント設計は、ＬＴＥにおいて有利に用いることができる。ＬＴＥにおいて、送信タイムラインは、サブフレームの単位に分割することができる。各サブフレームは、予め決められた継続時間、例えば１ミリ秒（ｍｓ）、を有することができ、通常のサイクリックプリフィックスに関しては１４のシンボル期間０乃至１３を網羅することができる。各サブフレームは、（ｉ）シンボル期間０、１、４、７、８及び１１において送信された基準信号と（ｉｉ）シンボル期間０、１、及び２において送信された制御情報とを含むことができる。図５のリソースセグメントにおける７つのシンボル期間は、サブフレームのシンボル期間３、５、６、９、１０、１２及び１３に対応することができる。これで、リソースセグメントにおいて送信されたビーコン信号は、サブフレーム内における基準信号及び制御情報を回避することができる。
【００４５】
図６は、第１のビーコン設計により送信されたビーコン信号の有無を検出するためのプロセス６００の設計を示す。リソースセグメント内の各シンボル期間における各副搬送波の受信された電力は、そのシンボル期間におけるその副搬送波のための受信されたシンボルに基づいて決定することができる（ブロック６１２）。各シンボル期間におけるビーコン副搬送波は、シンボル期間における各副搬送波の受信された電力に基づいて検出することができる（ブロック６１４）。各シンボル期間において、各副搬送波の受信された電力は、電力スレショルドと比較することができ、電力スレショルドを超える受信電力を有する各副搬送波に関してビーコン副搬送波を検出することができる。一設計においては、電力スレショルドは、静値であることができ、静値は、コンピュータシミュレーション又は経験的測定に基づいて決定することができる。他の設計においては、電力スレショルドは、例えば受信された雑音及び干渉の推定に基づいて動的に決定することができる。いずれの場合も、電力スレショルドは、雑音及び干渉が存在する中でビーコン副搬送波の信頼できる検出を達成するように設定することができる。
【００４６】
一設計においては、所定のリソースセグメントに関するシンボル期間当たりの検出されたビーコン副搬送波の数は、Ｚに制限することができ、ここで、概してＺ≧１であり、一例においてはＺ＝５である。この設計においては、電力スレショルドを超える受信電力を有する最大でＺの最強のビーコン副搬送波を各シンボル期間において検出することができる。Ｚは、リソースセグメントにおいて検出することができるシグナリングメッセージの最大数を決定することができる。
【００４７】
リソースセグメントにおける検出されたビーコン副搬送波に基づいて一組の候補の符号語を決定することができる（ブロック６１６）。シグナリングメッセージは、ブロック符号によって定義されるＭの可能な符号語と関連づけることができるＭの可能な値のうちの１つを有することができ、ここで、Ｍ≦Ｎｓである。各符号語は、Ｔの符号シンボルの異なるシーケンスを備えることができる。一設計においては、検出されたビーコン副搬送波とマッチするＴのビーコン副搬送波のうちの少なくともＤのビーコン副搬送波を有するすべての符号語を候補符号語として識別することができ及び候補組内に格納することができ、ここで、概して１≦Ｄ＜Ｔであり、幾つの例に関してはＤ＝Ｔ−１又はＤ＝Ｔ−２である。ブロック６１６の一設計においては、各々の可能な符号語を検討し、その符号語における少なくともＤの符号シンボルのためのビーコン副搬送波がリソースセグメントにおいて検出されるかどうかを決定することができる。ブロック６１６の他の設計においては、Ｚ×Ｔテーブルは、リソースセグメントにおける各シンボル期間に最大でＺの検出されたビーコン副搬送波を格納することができる。テーブルの一部を網羅するためにＺ×Ｓブロックを定義することができる。ブロック内のＳのビーコン副搬送波の各々の可能な組み合わせは、符号語を識別するために用いることができる。リード−ソロモン符号の場合において、Ｓのシンボル期間におけるＳのビーコン副搬送波の各組み合わせに関して、これらのＳのシンボル期間においてビーコン副搬送波を有する符号語がリード−ソロモンコードブック内に存在する。その符号語は、Ｓのシンボル期間におけるＳのビーコン副搬送波及び残りのシンボル期間における消失（ｅｒａｓｕｒｅ）から構成されるサイズＴのシーケンスの消失復号を行うことによって見つけることができる。符号語は、その符号語のためのＴのビーコン副搬送波のうちの少なくともＤのビーコン副搬送波がテーブル内に存在する場合に候補組内に入れることができる。このプロセスは、テーブル内の異なるＺ×Ｓのブロックに関して繰り返すことができ、ブロック数は、Ｄ、Ｓ及びＴの値に依存する。
【００４８】
上述される復号は、Ｓ＝３、Ｔ＝６、Ｚ＝３及びＤ＝５の例によって説明することができる。６つの連続するシンボル期間の各々における検出されたビーコン副搬送波は、テーブル１に示されるとおりであることができる。ビーコン副搬送波１、２及び３は、シンボル期間ｔにおいて検出され、ビーコン副搬送波１２及び１５は、シンボル期間ｔ＋１において検出され、以下同様である。
【表１】
0005431448.tif 000003
【００４９】
シンボル期間ｔ＋１、ｔ＋３及びｔ＋５を網羅するために３×３ブロックを定義される。このブロックにはＳ＝３のビーコン副搬送波の４つの可能な組み合わせが存在し、｛１２，１７，８｝、｛１２，１７，２｝、｛１５，１７，８｝及び｛１５，１７，２｝として与えることができる。４つの可能な組み合わせに対して消失復号を行うことができ、｛Ｅ，１２，Ｅ，１７，Ｅ，８｝、｛Ｅ，１２，Ｅ，１７，Ｅ，２｝、｛Ｅ，１５，Ｅ，１７，Ｅ，８｝及び｛Ｅ，１５，Ｅ，１７，Ｅ，２｝として与えることができ、ここで、“Ｅ”は、消失を表す。消失復号は、４つの組み合わせに対応する４つの符号語を提供することができる。各符号語は、６つのシンボル期間に６つのビーコン副搬送波において送信された６つの符号シンボル期間を含むことができる。各符号語に関して、符号語のために少なくともＤ＝５のビーコン副搬送波がテーブル１に存在する場合は、その符号語は候補組内に入れることができる。このプロセスは、すべての候補符号語を識別するために異なる３×３ブロックに関して繰り返すことができる。
【００５０】
一設計において、候補符号語の組内の類似する符号語を識別して除去することができる（ブロック６１８）。送信された符号語に対応するビーコン副搬送波の組み合わせによってスプリアス（ｓｐｕｒｉｏｕｓ）符号語が形成されることがある。実際には符号が送信されなかったときにその符号語が検出されたと宣言することによって誤ったアラームが出されることがある。スプリアス符号語に起因する誤ったアラームを低減させるために、次のように各候補符号語に関して類似性メトリックを計算することができる。
【数２】
0005431448.tif 000004
【００５１】
類似性メトリック（ｗ）は、候補符号語ｗに関する類似性メトリックである。
【００５２】
マッチしたビーコン副搬送波の数（ｗ）は、リソースセグメントにおける検出されたビーコン副搬送波にマッチする、符号語ｗに関するビーコン副搬送波、の数である。類似するビーコン副搬送波の数（ｗ）は、符号語ｗの類似性とも呼ばれ、符号語ｗ以外の全候補符号語に関するビーコン副搬送波にマッチする、符号語ｗに関するビーコン副搬送波、の数である。各候補符号語に関する類似性メトリックを計算して類似性スレショルドと比較することができる。類似性スレショルドよりも小さい類似性メトリックを有する各候補符号語は、候補組から除去することができる。このプロセスは、候補符号語が除去されるごとに繰り返すことができる。
【００５３】
一設計において、誤ったアラームをさらに低減させるために低電力を有する候補符号語を除去することができる（ブロック６２０）。一設計においては、電力メトリックは、次のように各候補符号語ｗに関して計算することができる。
【数３】
0005431448.tif 000005
【００５４】
ここで、Ｐｗ，ｔは、候補符号語ｗのｔ番目の符号シンボルのためのビーコン副搬送波の受信された電力であり、
Ｐｗは、候補符号語ｗの総受信電力であり、
Ｐｍａｘは、各符号シンボルに関するＰｗ，ｔを制限する最大値である。
【００５５】
Ｐｍａｘは、高い受信された電力を有する１つの又は幾つかの強力なビーコン副搬送波によってＰｗが支配されるのを防止するために用いることができる。各候補符号語に関する電力メトリックは、計算して電力スレショルドと比較することができる。電力スレショルドよりも小さい電力メトリックを有する各候補符号語は、除去することができる。
【００５６】
候補符号語は、その他の判定基準及びメトリックに基づいて除去することも可能である。スプリアス符号語、低電力の符号語、及び／又はその他の方法で識別された符号語を除去後は、残りの候補符号語は、リソースセグメント内に存在すると宣言することができる（ブロック６２２）。
【００５７】
図６は、リソースセグメントにおけるビーコン信号の有無を検出する典型的な設計を示す。ビーコン信号は、その他の方法で検出することも可能である。検出は、リソースセグメントの時間及び周波数位置は既知であるがリソースセグメントにおいて送信されたビーコン信号数は不明であると仮定することができる。検出されたビーコン副搬送波に基づいて多数の候補符号語が存在することができる。候補符号語を評価し、送信された可能性がより低い候補符号語を除去し、及び送信された可能性が高い符号語を識別するために様々な方式を用いることができる。
【００５８】
第２のビーコン設計においては、ビーコン信号のための各符号シンボルは、時間にわたって送信することができる。シグナリングメッセージ（例えば干渉低減要求）は、ＧＦ（Ｔ）におけるＳの情報シンボルにマッピングすることができる。Ｓの情報シンボルは、ブロック符号（例えばリード−ソロモン符号）を用いて符号化してＧＦ（Ｔ）においてＬの符号シンボルを備える符号語を得ることができる。Ｌ及びＴは、あらゆる適切な整数値であることができる。各符号シンボルは、特定の副搬送波において、ただしその符号シンボルの値に基づいて決定された可変のシンボル期間において、送信することができる。
【００５９】
図７は、第２のビーコン設計によりビーコン信号を用いてシグナリングメッセージ（例えば干渉低減要求）を送信するための典型的な送信７００を示す。この例においては、シグナリングメッセージは、ＧＦ（Ｔ＝８）においてＬ＝１２の符号シンボルｃ０乃至ｃ１１にマッピングすることができる。１２の符号シンボルは、各シンボル組がＮ＝４の符号シンボルを含むＱ＝３のシンボル組に分割することができる。符号シンボルの３つの組は、３つのリソースセグメントで送信することができる。各リソースセグメントは、Ｔ＝８のシンボル期間においてＮ＝４の副搬送波を網羅することができる。４つの副搬送波には０乃至３のインデックスを割り当てることができ、各リソースセグメントにおける８つのシンボル期間には０乃至７のインデックスを割り当てることができる。
【００６０】
第１のシンボル組は、リソースセグメント１において副搬送波０乃至３でそれぞれ送信することができる第１の４つの符号シンボルＣ０乃至Ｃ３を含むことができる。第２のシンボル組は、リソースセグメント２において副搬送波０乃至３でそれぞれ送信することができる次の４つの符号シンボルＣ４乃至Ｃ７を含むことができる。第３のシンボル組は、リソースセグメント３において副搬送波０乃至３でそれぞれ送信することができる最後の４つの符号シンボルＣ８乃至Ｃ１１を含むことができる。第１のシンボル組に関して、符号シンボルｃ０は、リソースセグメント１において８つのシンボル期間のうちの１つにおいて副搬送波０で送信することができ、特定のシンボル期間は、符号シンボルｃ０の値によって決定される。副搬送波における選択されたシンボル期間は、ビーコンリソースエレメントと呼ぶことができる。符号シンボルｃ１は、この符号シンボルの値によって決定されたシンボル期間において副搬送波１で送信することができる。各々の残りの符号シンボルは、同様の方法で送信することができる。
【００６１】
図７に示される例においては、シグナリングメッセージは、０、２、７、６、２、０、３、５、４、４、６及び１の値を有する１２の符号シンボルｃ０乃至ｃ１１を備える符号語にマッピングされる。４つの符号シンボル｛０，２、７、６｝の第１の組は、リソースセグメント１において送信され、符号シンボルｃ０＝０は、シンボル期間０において副搬送波０で送信され、符号シンボルｃ１＝２はシンボル期間２において副搬送波１で送信され、符号シンボルｃ２＝７はシンボル期間７において副搬送波２で送信され、符号シンボルｃ３＝６はシンボル期間６において副搬送波３で送信されることを伴う。残りの符号シンボルは、図７に示されるように送信することができる。各符号シンボルのために用いられるリソースエレメントは、図７においては“×”が付されている。
【００６２】
概して、シグナリングメッセージは、ＧＦ（Ｔ）においてＬの符号シンボルにマッピングすることができる。Ｌの符号語は、Ｑのシンボル組に分割され、各シンボル組は、Ｎの符号シンボルを含む。Ｎの符号シンボルの各組は、Ｔのシンボル期間におけるＮの副搬送波を網羅するリソースセグメントにおいて送信することができる。例えば、第１のＮの符号シンボルｃ０乃至ｃＮ−１は、リソースセグメント１において副搬送波０乃至Ｎ−１でそれぞれ送信することができ、次のＮの符号シンボルｃＮ乃至ｃ２Ｎ−１は、リソースセグメント２において副搬送波０乃至Ｎ−１でそれぞれ送信することができ、以下同様である。一設計においては、符号シンボルｃｌは、次のように決定することができるリソースセグメントｑのシンボル期間ｔにおいて副搬送波ｎで送信することができる。
【数４】
0005431448.tif 000006
【００６３】
ここで、“ｍｏｄ”は、モジュロ演算を表す。
【００６４】
各組内のＮの符号シンボルは、１つのリソースセグメントにおいて送信することができる。リソースセグメントは、Ｎの符号シンボルのためのＮのビーコンリソースエレメントを含み、ビーコンリソースエレメントは、リソースセグメント全体に散在することができる。シグナリングメッセージのためのビーコン信号は、Ｑのリソースセグメントにおいて送信することができる。Ｌ、Ｎ、Ｔ及びＱは、あらゆる適切な値を有することができる。
【００６５】
一設計においては、ビーコン信号を送信するために用いられるＱのリソースセグメントは、いずれのシンボル期間においても開始することができる。この設計は、同期ネットワーク及び非同期ネットワークの両方に関して用いることができる。他の設計においては、シグナリングメッセージを送信するために特定のリソースセグメントを予約することができる。この設計は、同期ネットワークのためにさらに利用可能である。リソースセグメントは、その他の方法で定義することも可能である。
【００６６】
受信局は、送信局によって送信されたビーコン信号の有無を検出することができる。受信局は、Ｑ’のリソースセグメントにおけるビーコン信号を探索することができ、ここで１ ≦ Ｑ’≦Ｑである。受信局は、１つの特定のシンボル期間に探索を開始することができる。受信局は、Ｑ’＋１の隣接するリソースセグメントを検討することができおよび２つの隣接するリソースセグメントから成る組におけるビーコン副搬送波を結合してＱ’のリソースセグメントを得ることができる。受信局は、探索を行い、Ｑ’のリソースセグメントにおいてすべての候補符号語を見つけることができる。受信局は、スプリアス符号語を識別及び除去することができる。受信局は、スプリアス符号語を除去するために検出されたビーコン副搬送波とのマッチング条件が満たされるかどうかを検査することができる。受信局は、一定数のシンボル期間後に探索を繰り返すことができる。例えば、Ｑ’＝Ｑである場合は、すべての送信されたシグナリングメッセージを検出するためにＴのシンボル期間ごとにプロセスを繰り返すことができる。Ｑ’＝１である場合は、Ｑ・Ｔのシンボル期間ごとにプロセスを繰り返すことができる。概して、プロセスは、（Ｑ’−Ｑ＋１）・Ｔのシンボル期間ごとに繰り返すことができる。
【００６７】
受信局による検出を可能にするために、コードブックは、（ｉ）Ｎの量分の符号語の循環シフトも符号語であり及び（ｉｉ）符号語の線形シフトも符号語であるように定義することができる。Ｎ、Ｔ及びＱの一定の値に関してこれらの両方の制約を満たすためにリード−ソロモン符号を生成することができる。
【００６８】
非同期ネットワークにおいては、受信局は、送信局のシンボルタイミングを知らないことがある。このため、受信局は、互いの線形シフトである符号語とＮの量分の符号語の一定の循環シフトである符号語とを区別することができないことがある。例えば、受信局は、シンボル期間ｔにおいて送信されたｘの値を有する符号語及び１つのシンボル期間だけ遅れて同じ副搬送波において送信されたｘ＋１の値を有する符号語を区別することができないことがある。受信局が区別できない全符号語（例えば、異なる線形シフトを有する符号語及び区別不能な循環シフトを有する符号語）は、同じシグナリングメッセージにマッピングすることができる。一設計においては、符号語の全線形シフトが同じシグナリングメッセージに確実にマッピングされるようにするために、ｃ０＝０で始まる符号語のみを使用のために選択することができ、その他のｃ０値を有する符号語は捨てることができる。これで、有効な符号語の数をＴＳからＴＳ−１に減らすことができる。しかしながら、この設計は、不明なシンボルタイミングを有する線形シフトに起因する曖昧さを回避することができる。区別不能な循環シフトの符号語に関しても同様の制約を適用し、これらの符号語が同じシグナリングメッセージにマッピングするようにすることができる。一設計においては、Ｔ＝２５７、Ｓ＝３、及び１０の情報ビットを１つのシグナリングメッセージにおいて送信することができる。ＧＦのサイズがより大きい場合及び／又は情報シンボルがより多い場合はより多くの情報ビットを送信することができる。
【００６９】
受信局は、各送信局に関してシンボルレベルでのタイミングの不整合を有することができる。受信局は、これを利用してスプリアス符号語／ビーコン信号を除去することができる。
【００７０】
図８は、非同期動作とのシンボルタイミング不整合の例を示す。送信局は、そのシンボルタイミングに基づいてビーコンシンボルを送信することができる。受信局は、送信局のシンボルタイミングを知らないことができ及びシンボルタイミングに基づいて高速フーリエ変換（ＦＦＴ）ウィンドウを設定することができる。受信局のシンボルタイミングは、送信局のシンボルタイミングから１／２のシンボル期間だけオフセットさせることができる。ビーコンシンボル１の第１の部分は、ＦＦＴウィンドウ１によってキャプチャ（ｃａｐｔｕｒｅ）することができ、ビーコンシンボル1の残りの部分は、シンボルタイミングの不整合に起因してＦＦＴウィンドウ２によってキャプチャすることができる。これで、シンボル間干渉（ＩＳＩ）及び搬送波間干渉（ＩＣＩ）が生じることがある。シンボルタイミングの不整合の場合は、ビーコンシンボルｔｔｘにおけるビーコン副搬送波ｎの受信された電力Ｐは、（ｉ）ＩＳＩに起因して２つのＦＦＴウィンドウｔｒｘ及びｔｒｘ＋１にわたって拡散されること及び（ｉｉ）ＩＣＩに起因して隣接する副搬送波ｎ−１及びｎ＋１まで拡散されることがある。テーブル２は、受信局のシンボルタイミングの最悪時（５０％）の不整合に起因するＦＦＴウィンドウｔｒｘ及びｔｒｘ＋１における副搬送波ｎ、ｎ−１及びｎ＋１での受信された電力の量を示す。
【表２】
0005431448.tif 000007
【００７１】
図９は、３つの送信局及び１つの受信局に関する典型的なタイミング図を示す。送信局１は、時間Ｔ１において開始するリソースセグメントｑ１を有することができ、送信局２は、時間Ｔ２において開始するリソースセグメントｑ２を有することができ、送信局３は、時間Ｔ３において開始するリソースセグメントｑ３を有することができ、受信局は、時間Ｔｒｘにおいて開始するリソースセグメント１を有することができる。図９に示されるように、開始時間Ｔ１、Ｔ２、Ｔ３及びＴｒｘは、非同期動作に起因して整合しない場合がある。説明を明確化することを目的として、送信局によって用いられるリソースセグメントは、送信セグメントと呼ばれ、受信局におけるリソースセグメントは受信セグメントと呼ばれる。
【００７２】
図９に示される例において、送信局は、Ｑ＝３の連続するリソースセグメントにおいてシグナリングメッセージのためのビーコン信号を送信することができる。受信局は、以下のように送信局によって送信されたシグナリングメッセージを復元するのを試みることができる。
【００７３】
各々の受信されたセグメント内の各シンボル期間に関して、各副搬送波の受信された電力は、決定すること及び電力スレショルドと比較することができる。電力スレショルドを超える受信された電力を有する各副搬送波に関してビーコン副搬送波を宣言することができる。電力スレショルドは、静値又は動値であることができる。受信されたセグメントの各対に関してビーコン組を形成することができる。ビーコン組ｖは、受信されたセグメントｖ及びｖ＋１を網羅することができ及び受信されたセグメントｖ及びｖ＋１におけるすべての検出されたビーコン副搬送波を含むことができる。これは、シンボルタイミングの不整合の量にかかわらず１つの送信セグメントにおけるすべてのビーコン副搬送波を１つのビーコン組において収集可能であるようにすることができる。これは、送信セグメントｑｎにおけるビーコン副搬送波がビーコン組ｖに完全に入っている場合は送信セグメントｑｎ＋ｉにおけるビーコン副搬送波がビーコン組ｖ＋ｉ、ここでｉ＝１，２、等、に完全に入るようにすることもできる。
【００７４】
ビーコン検出は、図６に関して上述される第１のビーコン設計に関するビーコン検出と同様の方法でビーコン組に対して行うことができる。一設計においては、検出されたビーコン副搬送波にマッチするＬのビーコン副搬送波のうちの少なくともＤのビーコン副搬送波を有する全符号語は、候補符号語として識別することができ及び候補組内に格納することができる。候補組内のスプリアス符号語は、（例えば上述される類似性メトリックに基づいて）識別して候補組から除去することができる。符号語を見つけるために結合されている２つのリソースセグメントにおけるビーコン副搬送波に起因するスプリアス符号語も検出することが可能である。符号語を見つけた後は、ビーコン信号が送信されるリソースセグメントは既知であり、スプリアス符号語を識別するために、正確なリソースセグメントにビーコン信号が存在するかどうかを決定するための検査を行うことができる。低い電力を有する候補符号語も候補組から除去することができる。スプリアス符号語及び低電力の符号語を除去後は、すべての残りの候補符号語を存在すると宣言することができる。
【００７５】
テーブル２に示されるように、ＦＦＴウィンドウの不整合は、その結果として、ビーコン副搬送波の受信された電力が２つのＦＦＴウィンドウにわたって及び３つの副搬送波にわたってスミアリング（ｓｍｅａｒｉｎｇ）される可能性がある。一設計においては、周波数にわたるビーコン副搬送波の受信された電力のスミアリングは、２つの副搬送波の部分組を予約することによって軽減することができる。例えば、図７に示される４つの副搬送波から成る１つの組を用いる代わりに、２つの副搬送波から成る２つの部分組を用いることができる。これで、受信された電力のスミアリングは、副搬送波ｎ−１又はｎ＋１のいずれかであることができる１つの副搬送波のみに制限することができる。他の設計においては、周波数にわたるビーコン副搬送波の受信された電力のスミアリングは、１つの副搬送波の部分組を予約することによって軽減することができる。概して、１つの部分組当たりこれよりも少ない副搬送波が周波数にわたるスミアリングの量を制限することができるが、図４Ａ及び４Ｂに示されるように、副搬送波の各部分組を保護するために１つ以上のガード副搬送波を用いることに起因してより多くのオーバーヘッドが生じることがある。
【００７６】
図１０は、非同期ネットワークにおけるシンボルタイミングの不整合に起因するＩＳＩ及びＩＣＩの両方を軽減する設計を示す。この設計は、サイクリックプリフィックス継続時間内における同期化が達成されない、すなわち、対象となる異なる基地局（又はＵＥ）からの有意な信号経路を介してのＯＦＤＭシンボルの受信時間の差がサイクリックプリフィックス内にない、ときに第１のビーコン設計とともに用いることができる。この設計においては、各ビーコンシンボルを繰り返すことができ及び２つの連続するシンボル期間において送信することができる。２つの連続するシンボル期間において各々のビーコン副搬送波で位相連続信号を送信することができる。
【００７７】
図１１は、不整合のシンボルタイミングを有する受信局におけるＦＦＴウィンドウを示す。例えば図１０に示されるように、２つの連続するシンボル期間において各ビーコンシンボルを送信することによって、受信局における１つのＦＦＴウィンドウ（例えば、図１１のＦＦＴウィンドウ１）を２つのビーコンシンボル内に配置することができ、従って最小のＩＳＩ及びＩＣＩを有するビーコン副搬送波をキャプチャすることができる。次のＦＦＴウィンドウ（例えば、図１１のＦＦＴウィンドウ２）は、２つの異なるビーコンシンボルにまたがり、ＩＳＩ及びＩＣＩを観察することができる。受信局は、ＩＳＩ及びＩＣＩを有さない代替のＦＦＴウィンドウの組を復号のために用いることができ及びＩＳＩ及びＩＣＩを有する代替のＦＦＴウィンドウの他方の組を廃棄することができる。
【００７８】
図５及び７において示されるように、第１のビーコン設計は、周波数にわたって各符号シンボルを送信することができ、第２のビーコン設計は、時間にわたって各符号シンボルを送信することができる。周波数にわたって各符号シンボルを送信することは、シグナリングメッセージを送信するための時間量を低減することができる。時間にわたって各符号シンボルを送信することは、シグナリングメッセージを送信するために予約すべき周波数リソースの量を低減させることができる。第１のビーコン設計に関して、予約された副搬送波の数は、効率的なブロック符号のために相対的に大きいことができるＧＦのサイズに依存することができる。第２のビーコン設計に関しては、予約された副搬送波の数は、リソースのオーバーヘッドとシグナリングメッセージを送信するための時間量との間でいずれかを犠牲にすることに基づいて柔軟に選択することができる。
【００７９】
他の態様においては、干渉する局の電力制御は、干渉低減要求を介して達成させることができる。干渉するＵＥの電力制御の一設計においては、サービスを提供する基地局は、次のように決定することができるＰＴＸ＿ｍｓｇの送信電力レベルで干渉低減要求を送信することができる。
【数５】
0005431448.tif 000008
【００８０】
ここで、ＰＣは、後述される基準値であり、
Ｉｔａｒｇｅｔは、サービスを提供する基地局のための目標干渉レベルである。
【００８１】
干渉するＵＥは、次のように表すことができるＰＲＸ＿ｍｓｇの受信電力レベルで干渉低減要求を受信することができる。
【数６】
0005431448.tif 000009
【００８２】
ここで、ｈは、サービスを提供する基地局から干渉するＵＥまでのチャネル利得である。
【００８３】
干渉するＵＥは、干渉低減要求を受け入れることができ及びその送信電力Ｐｄを次のように決定することができる。
【数７】
0005431448.tif 000010
【００８４】
干渉するＵＥは、Ｐｄ又はそれよりも低い送信電力をデータ送信のために用いることができる。ＵＥからのデータ送信は、１つの干渉するＵＥのみ及び対称的なダウンリンクチャネルとアップリンクチャネルであることを想定した場合に、サービスを提供する基地局においてＩｔａｒｇｅｔ又はそれより低い干渉を引き起こす。
【００８５】
干渉する基地局の電力制御は、同様の方法で行うことができる。ＵＥは、ＰＴＸ＿ｍｓｇの送信電力レベルで干渉低減要求を送信することができる。干渉する基地局は、ＰＲＸ＿ｍｓｇの受信電力レベルで干渉低減要求を受信することができる。干渉する基地局は、要求を受け入れることができ及びその送信電力をＰｄ又はそれよりも低い送信電力に低減させることができる。干渉する基地局からのデータ送信は、１つの干渉する基地局及び対称的なダウンリンクチャネルとアップリンクチャネルであることを想定した場合に、ＵＥにおいてＩｔａｒｇｅｔ又はそれよりも低い干渉を引き起こす可能性がある。
【００８６】
電力制御に関して、干渉低減要求の送信電力は、その要求の送信元において目標の干渉レベルを達成するように設定することができる。目標の干渉レベルは、希望されるデータ性能に基づいて選択することができ及び干渉する局の数の誤り、ダウンリンクとアップリンクとの間のフェード不均衡、異なる局における送信チェーンと受信チェーンとの間での校正の誤り、等を考慮するように設定することも可能である。
【００８７】
一設計においては、全基地局が同じＰＣ値を用いることができる。他の設計においては、異なる電力種別の基地局が異なるＰＣ値を用いることができる。例えば、高電力のマクロ基地局は、第１のＰＣ値を用いることができ、低電力のピコ基地局及びフェムト基地局は、第１のＰＣ値よりも低いことができる第２のＰＣ値を用いることができる。一設計においては、全ＵＥが、基地局によって用いられるＰＣ値とマッチするかまたはマッチしない同じＰＣ値を用いることができる。一設計においては、干渉低減要求を送信するために副搬送波の複数の組を予約することができ、及び異なる予約された副搬送波組のために異なるＰＣ値を用いることができる。ＵＥは、ＵＥから干渉する基地局までの距離に基づいて干渉低減要求を送信するために予約された副搬送波組のうちの１つを選択することができる。干渉低減要求を送信するために用いられる電力は、ＰＣの値に依存することができ、より大きいＰＣはより大きい送信電力に対応する。電力を保存するために、ＵＥは、近くに存在する基地局に関してはより小さいＰＣ値及び遠く離れた基地局に関してはより大きいＰＣ値を用いることができる。
【００８８】
図１２は、無線ネットワークにおいてシグナリングを送信するためのプロセス１２００の設計を示す。プロセス１２００は、送信局によって行うことができ、送信局は、基地局、ＵＥ、又はその他のエンティティであることができる。送信局は、自己のための通信をサポートするための情報を備えるシグナリングメッセージを生成することができる（ブロック１２１２）。一設計においては、シグナリングメッセージは、送信局に対する干渉を低減するように少なくとも１つの干渉する局に要求する干渉低減要求を備えることができる。送信局は、基地局であることができ、各々の干渉する局は、干渉するＵＥであることができる。代替においては、送信局はＵＥであることができ、各々の干渉する局は干渉する基地局であることができる。シグナリングメッセージは、その他の何らかのタイプのメッセージを備えることも可能である。
【００８９】
送信局は、シグナリングメッセージを複数の符号シンボルにマッピングすることができる（ブロック１２１４）。一設計においては、送信局は、シグナリングメッセージを少なくとも１つの情報シンボルにマッピングすることができ及びブロック符号に従って前記少なくとも１つの情報シンボルを符号化して複数の符号シンボルを得ることができる。送信局は、その他の方法でシグナリングメッセージを複数の符号シンボルにマッピングすることもできる。
【００９０】
送信局は、複数の符号シンボルに基づいて複数の（ａ  ｐｌｕｒａｌｉｔｙ  ｏｆ）リソースエレメントの中から複数の（ｍｕｌｔｉｐｌｅ）リソースエレメントを選択することができる（ブロック１２１６）。送信局は、選択されたリソースエレメントにおいて送信電力を有し及び複数のリソースエレメントのうちの残りのリソースエレメントにおいて送信電力を有さないビーコン信号を生成することができる（ブロック１２１８）。送信局は、少なくとも１つの受信局にビーコン信号を送信することができ、少なくとも１つの受信局は、送信局と同期又は非同期で動作することができる（ブロック１２２０）。
【００９１】
ブロック１２１６の一設計においては、送信局は、複数のリソースエレメントによって形成されたリソースエレメントの複数の組を決定することができ、各符号シンボルに関して１つのリソースセグメント組である。送信局は、対応する符号シンボルに基づいてリソースエレメントの各組において１つのリソースエレメントを選択することができる。各符号シンボルは、０乃至Ｎ−１の範囲内の値を有することができ、ここで、Ｎは１よりも大きいことができる。各組内のリソースエレメントには、インデックス０乃至Ｎ−１を割り当てることができる。送信局は、Ｘの値を有する符号シンボルのためにＸのインデックスを有するリソースエレメントを選択することができ、ここで、Ｘは、０乃至Ｎ−１の範囲内である。
【００９２】
一設計においては、各符号シンボルは、例えば図５に示されるように、周波数にわたって送信することができる。この設計において、リソースエレメントの各組は、１つのシンボル期間における複数の副搬送波を網羅することができる。複数の副搬送波のうちの１つは、各シンボル期間において、そのシンボル期間に送信すべき符号シンボルに基づいて選択することができる。他の設計においては、各符号シンボルは、例えば図７に示されるように、時間にわたって送信することができる。この設計においては、リソースエレメントの各組は、複数のシンボル期間において１つの副搬送波におけるリソースエレメントを網羅することができる。副搬送波における複数のシンボル期間のうちの１つは、その副搬送波において送信すべき符号シンボルに基づいて選択することができる。一設計においては、複数のリソースエレメントは、複数のリソースセグメントに分割することができる。各リソースセグメントは、シグナリングメッセージを送信するために予約された少なくとも１つの副搬送波におけるリソースエレメントの少なくとも１つの組を含むことができる。
【００９３】
一設計においては、複数のリソースエレメントは、シグナリングメッセージを送信するために予約すること及び既知の時間及び周波数位置に配置することができるリソースセグメントに属することができる。この設計は、同期ネットワークのために利用可能である。他の設計においては、複数のリソースエレメントは、シグナリングメッセージを送信するために予約された複数の副搬送波で形成することができ及びあらゆるシンボル期間において開始することができる。この設計は、非同期ネットワークのために利用可能である。
【００９４】
一設計においては、例えば図４Ａに示されるように、シグナリングメッセージを送信するために副搬送波の単一の組を予約することができる。他の設計においては、シグナリングメッセージを送信するために副搬送波の少なくとも２つの連続しない部分組を予約することができ、各部分組は、少なくとも１つの副搬送波を含む。一設計においては、副搬送波の各組又は部分組は、少なくとも１つのガード副搬送波によって送信のために使用可能なその他の副搬送波から隔離することができる。この設計は、特に非同期動作に適することができる。
【００９５】
一設計においては、複数のリソースエレメントは、無線ネットワーク内の１つのセルにおいてシグナリングメッセージを送信するために使用可能である。異なるセルにおいてシグナリングメッセージを送信するために異なる複数のリソースエレメントを使用可能である。他の設計においては、複数のリソースエレメントは、無線ネットワーク内の全セルにおいてシグナリングメッセージを送信するために使用可能である。シグナリングメッセージを送信するために使用可能なリソースエレメントは、その他の送信からの干渉を受けないことができる。
【００９６】
ブロック１２１８の一設計においては、送信局は、ビーコン信号が送信される各シンボル期間において、選択されたリソースエレメントが存在する場合はこれらの各々の選択されたリソースエレメントにおいて送信電力を有するＯＦＤＭシンボル又はＳＣ−ＦＤＭシンボルを生成することができる。送信局は、各シンボル期間に関して生成されたＯＦＤＭシンボル又はＳＣ−ＦＤＭシンボルを送信することができる。他の設計においては、送信局は、受信局がその受信局において不整合のシンボルタイミングに起因するより小さいＩＳＩ及びより小さいＩＣＩを有するシグナリングメッセージを受信するのを可能にするために（例えば図１０に示されるように）２つの連続するシンボル期間にわたり各々の選択されたリソースエレメントを繰り返すことができる。残りのリソースエレメントは、例えば図１０に示されように、電力を有さないか又は低電力を有することができる。
【００９７】
図１３は、無線ネットワークにおいてシグナリングを送信するための装置１３００の設計を示す。装置１３００は、送信局のために通信をサポートする情報を備えるシグナリングメッセージを生成するためのモジュール１３１２と、シグナリングメッセージを複数の符号シンボルにマッピングするためのモジュール１３１４と、複数の符号シンボルに基づいて複数のリソースエレメントの中から複数のリソースエレメントを選択するためのモジュール１３１６と、選択されたリソースエレメントにおいて送信電力を有し及び複数のリソースエレメントのうちの残りのリソースエレメントにおいて送信電力を有さないビーコン信号を生成するためのモジュール１３１８と、送信局から少なくとも１つの受信局にビーコン信号を送信するためのモジュール１３２０と、を備える。
【００９８】
図１４は、無線ネットワークにおいてシグナリングを受信するためのプロセス１４００の設計を示す。プロセス１４００は、受信局によって実行することができ、受信局は、基地局、ＵＥ、又はその他のエンティティであることができる。受信局は、シグナリングメッセージを送信するために使用可能な複数のリソースエレメントから受信シンボルを得ることができる（ブロック１４１２）。受信局は、受信されたシンボルに基づいて複数のリソースエレメントの中で高い受信された電力を有するリソースエレメントを識別することができる（ブロック１４１４）。受信局は、複数のリソースエレメントの中の識別されたリソースエレメントの位置に基づいて複数のリソースエレメントにおいて送信されたシグナリングメッセージの有無を検出することができる（ブロック１４１６）。各シグナリングメッセージは、シグナリングメッセージに基づいて複数のリソースエレメントの中から選択された複数のリソースエレメントにおいて送信することができる。
【００９９】
一設計においては、各シグナリングメッセージは、複数の符号語のうちの１つにマッピングすることができる。各符号語は、複数のリソースエレメントによって形成されたリソースエレメントのＬの組内のＬのリソースエレメントに対してマッピングすることができ、各組に１つのマッピングされたリソースエレメントである。一設計においては、リソースエレメントの各組は、例えば図５に示されるように、１つのシンボル期間において複数の副搬送波を網羅することができる。他の設計においては、リソースエレメントの各組は、例えば図７に示されるように、複数のシンボル期間において１つの副搬送波を網羅することができる。両方の設計に関して、受信局は、リソースエレメントの各組において高い受信された電力を有するリソースエレメントを識別することができる。これで、受信局は、リソースエレメントの各組内の識別されたリソースエレメントの位置に基づいてシグナリングメッセージの有無を検出することができる。
【０１００】
ブロック１４１６の１つの設計において、受信局は、識別されたリソースエレメントにマッチするＬのリソースエレメントのうちの少なくともＤのリソースエレメントを各々が有する候補符号語を識別することができ、ここでＤはＬよりも小さい。受信局は、マッチしたリソースエレメントの数及び各候補符号語のための類似のリソースエレメントの数に基づいて除去すべき候補符号語を識別することができる。これで、受信局は、除去のために識別された各候補符号語を除去することができる。受信局は、低い受信された電力を有する各候補符号語を除去することも可能である。受信局は、除去されない候補符号語に基づいて複数のリソースエレメントにおいて送信されたシグナリングメッセージの有無を検出することができる。例えば、シグナリングメッセージは、除去されない各候補符号語に関して宣言することができる。
【０１０１】
一設計においては、受信局は、検出されたシグナリングメッセージから干渉低減要求を得ることができる（ブロック１４１８）。受信局は、干渉低減要求に基づいて送信電力を低減させることができる（ブロック１４２０）。検出されたシグナリングメッセージは、その他のタイプのメッセージであることもでき、及び、受信局は、検出されたシグナリングメッセージに応答して適切な措置を講じることができる。
【０１０２】
図１５は、無線ネットワークにおいてシグナリングを受信するための装置１５００の設計を示す。装置１５００は、シグナリングメッセージを送信するために使用可能な複数のリソースエレメントから受信シンボルを得るためのモジュール１１１２と、受信されたシンボルに基づいて複数のリソースエレメントの中で高い受信された電力を有するリソースエレメントを識別するためのモジュール１１１４と、複数のリソースエレメントの中の識別されたリソースエレメントの位置に基づいて複数のリソースエレメントにおいて送信されたシグナリングメッセージの有無を検出するためのモジュール１１１６であって、各シグナリングメッセージはシグナリングメッセージに基づいて複数のリソースエレメントの中から選択された複数のリソースエレメントにおいて送信されるモジュール１１１６と、検出されたシグナリングメッセージから干渉低減要求を得るためのモジュール１１１８と、干渉低減要求に基づいて送信電力を低減させるためのモジュール１１２０と、を含む。
【０１０３】
図１３及び１５のモジュールは、プロセッサ、電子デバイス、ハードウェアデバイス、電子構成要素、論理回路、メモリ、ソフトウェア符号、ファームウェア符号、等、又はその組み合わせを備えることができる。
【０１０４】
図１６は、図１に示される基地局のうちの１つであることができる基地局１１０及び図１に示されるＵＥのうちの１つであることができるＵＥ１２０の設計のブロック図である。基地局１１０は、Ｕのアンテナ１６３４ａ乃至１６３４ｕを装備することができ、ＵＥ１２０は、Vのアンテナ１６５２ａ乃至１６５２ｖを装備することができ、ここで、概してＵ≧１及びＶ≧１である。
【０１０５】
基地局１１０において、送信プロセッサ１６２０は、データソース１６１２から１つ以上のＵＥのためのデータを受信し、そのデータを処理（例えば、符号化、インターリービング、及び変調）し、データシンボルを提供することができる。送信プロセッサ１６２０は、（例えば、図２及び３に示されるメッセージに関する）制御情報をコントローラ／プロセッサ１６４０から受信し、制御情報を処理し、制御シンボルを提供することもできる。送信プロセッサ１６２０は、１つ以上の基準信号又はパイロットのための基準信号シンボルを生成することも可能である。送信（ＴＸ）多入力多出力（ＭＩＭＯ）プロセッサ１６３０は、該当する場合は、データシンボル、制御シンボル、及び／又は基準信号シンボルに対する空間処理（例えばプリコーディング）を行うことができ、及びＵの出力シンボルストリームをＵの変調器（ＭＯＤ）１６３２ａ乃至１６３２ｕに提供することができる。各変調器１６３２は、（例えば、ＯＦＤＭ、等に関する）各々の出力シンボルストリームを処理して出力サンプルストリームを得ることができる。各変調器１６３２は、出力サンプルストリームをさらに処理（例えば、アナログに変換、増幅、フィルタリング、及びアップコンバージョン）してダウンリンク信号を得ることができる。変調器１６３２ａ乃至１６３２ｔからのＵのダウンリンク信号は、Ｕのアンテナ１６３４ａ乃至１６３４ｕを介してそれぞれ送信することができる。
【０１０６】
ＵＥ１２０において、アンテナ１６５２ａ乃至１６５２ｖは、基地局１１０からダウンリンク信号を受信することができ及び受信された信号を復調器（ＤＥＭＯＤ）１６５４ａ乃至１６５４ｖにそれぞれ提供することができる。各復調器１６５４は、各々の受信された信号をコンディショニング（例えば、フィルタリング、増幅、ダウンコンバージョン、及びデジタル化）して入力サンプルを得ることができる。各復調器１６５４は、（例えばＯＦＤＭ、等に関する）入力サンプルをさらに処理して受信されたシンボルを得ることができる。ＭＩＭＯ検出器１６５６は、すべてのＶの復調器１６５４ａ乃至１６５４ｖから受信されたシンボルを入手し、該当する場合は受信されたシンボルに対するＭＩＭＯ検出を行い、検出されたシンボルを提供することができる。受信プロセッサ１６５８は、検出されたシンボルを処理（例えば、復調、デインターリービング、及び復号）し、ＵＥ１２０のための復号されたデータをデータシンク１６６０に提供し、復号された情報をコントローラ／プロセッサ１６８０に提供することができる。
【０１０７】
アップリンクにおいて、ＵＥ１２０においては、送信プロセッサ１６６４は、データソース１６６２からデータを及びコントローラ／プロセッサ１６８０から制御情報を受信して処理することができる。送信プロセッサ１６６４は、１つ以上の基準信号のための基準信号シンボルを生成することもできる。送信プロセッサ１６６４からのシンボルは、該当する場合はＴＸ  ＭＩＭＯプロセッサ１６６６によって予め符号化し、変調器１６５４ａ乃至１６５４ｖによってさらに処理し、基地局１１０に送信することができる。基地局１１０においては、ＵＥ１２０からのアップリンク信号は、アンテナ１６３４によって受信し、復調器１６３２によって処理し、該当する場合はＭＩＭＯ検出器１６３６によって検出し、受信プロセッサ１６３８によってさらに処理し、ＵＥ１２０によって送信されたデータ及び制御情報を得ることができる。
【０１０８】
コントローラ／プロセッサ１６４０及び１６８０は、基地局１１０及びＵＥ１２０における動作をそれぞれ指示することができる。基地局１１０におけるプロセッサ１６４０及び／又はその他のプロセッサ及びモジュールは、図６におけるプロセス６００、図１２におけるプロセス１２００、図１４におけるプロセス１４００、及び／又はここにおいて説明される技法に関するその他のプロセスを実行又は指示することができる。ＵＥ１２０におけるプロセッサ１６８０及び／又はその他のプロセッサ及びモジュールも、プロセス６００、プロセス１２００、プロセス１４００、及び／又はここにおいて説明される技法に関するその他のプロセスを実行又は指示することができる。メモリ１６４２及び１６８２は、基地局１１０及びＵＥ１２０のためのデータ及びプログラムコードをそれぞれ格納することができる。スケジューラ１６４４は、ダウンリンク及びアップリンクにおけるデータ送信のためにＵＥをスケジューリングすることができ及びスケジューリングされたＵＥのためのリソース許可を与えることができる。
【０１０９】
当業者は、情報及び信号は様々な異なる技術及び技法のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそのあらゆる組合せによって表すことができる。
【０１１０】
ここにおける開示と関係させて説明される様々な例示的論理ブロック、モジュール、回路、及びアルゴリズム上のステップは、電子ハードウェア、コンピュータソフトウェア、又は両方の組み合わせとして実装可能であることを当業者はさらに理解するであろう。ハードウェアとソフトウェアのこの互換性を明確に例示するため、上記においては、様々な例示的構成要素、ブロック、モジュール、回路、及びステップが、各々の機能の観点で一般的に説明されている。該機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、これらの実装決定は、本開示の適用範囲からの逸脱を生じさせるものであるとは解釈すべきではない。  
ここにおける開示と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲートロジック、ディスクリートトランジスタロジック、個別ハードウェア構成要素、又はそのあらゆる組合せ、を用いて実装又は実行することが可能である。汎用プロセッサはマイクロプロセッサであることができるが、代替においては、従来のどのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる構成との組合せ、として実装することも可能である。
【０１１１】
ここにおける開示と関係させて説明される方法又はアルゴリズムのステップは、直接ハードウェア内において、プロセッサによって実行されるソフトウェアモジュール内において、又はその２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、又は当業において知られるその他のあらゆる形態の記憶媒体内に常駐することができる。典型的記憶媒体は、プロセッサに結合させ、プロセッサが記憶媒体から情報を読み出すようにすること及び記憶媒体に情報を書き込むようにすることができる。代替においては、記憶媒体は、プロセッサと一体化させることができる。プロセッサ及び記憶媒体は、ＡＳＩＣ内に常駐することができる。ＡＳＩＣは、ユーザ端末内に常駐することができる。代替においては、プロセッサ及び記憶媒体は、ユーザ端末内において個別構成要素として常駐することができる。
【０１１２】
１つ以上の典型的設計において、説明される機能は、ハードウェア、ソフトウェア、ファームウェア、又はその組み合わせにおいて実装することができる。ソフトウェアにおいて実装される場合は、これらの機能は、コンピュータによって読み取り可能な媒体に格納すること又は１つ以上の命令又は符号として送信することができる。コンピュータによって読み取り可能な媒体は、コンピュータ記憶媒体と、１つの場所から他の場所へのコンピュータプログラムの転送を容易にするあらゆる媒体を含む通信媒体との両方を含む。記憶媒体は、汎用コンピュータ又は特殊コンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスクストレージ、磁気ディスクストレージ又はその他の磁気記憶デバイス、又は汎用コンピュータ又は特殊コンピュータ、又は汎用プロセッサ又は特殊プロセッサによってアクセス可能な命令又はデータ構造の形態で希望されるプログラムコード手段を搬送又は格納するために用いることができるその他の媒体、を備えることができる。さらに、いずれの接続もコンピュータによって読み取り可能な媒体と適切に呼ばれる。例えば、ソフトウェアが、同軸ケーブル、光ファイバーケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバーケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（登録商標）（ｄｉｓｃ）と、を含み、ここで、ｄｉｓｋは通常は磁気的にデータを複製し、ｄｉｓｃは、レーザを用いて光学的にデータを複製する。上記の組合せも、コンピュータによって読み取り可能な媒体の適用範囲に含めるべきである。
【０１１３】
本開示に関する上記の説明は、当業者が本開示を製造又は使用できるようにすることを目的とする。本開示に対する様々な修正は、当業者にとって容易に明確になるであろう。ここにおいて定められる一般原理は、本開示の精神又は適用範囲を逸脱せずにその他の変形形態に対しても適用することができる。以上のように、本開示は、ここにおいて説明される例及び設計に限定されることが意図されるものではなく、ここにおいて開示される原理及び斬新な特徴に一致する限りにおいて最も広範な適用範囲が認められるべきである。
以下本件出願当初に記載の請求項を付記する。
（１）  無線通信ネットワークにおいてシグナリングを送信する方法であって、
複数の符号シンボルにシグナリングメッセージをマッピングすることと、
前記複数の符号シンボルに基づいて複数のリソースエレメントの中から複数のリソースエレメントを選択することと、
前記選択されたリソースエレメントにおいて送信電力を有し及び前記複数のリソースエレメントのうちの残りのリソースエレメントにおいて送信電力を有さないビーコン信号を生成すること、とを備える、無線通信ネットワークにおいてシグナリングを送信する方法。
（２）  送信局から、前記送信局と非同期的に動作する少なくとも１つの受信局に前記ビーコン信号を送信することをさらに備える（１に記載の方法。
（３）  送信局に対する干渉を低減させることを、少なくとも１つの干渉する局に要求する干渉低減要求を備える前記シグナリングメッセージを生成することをさらに備える（１）に記載の方法。
（４）  前記シグナリングメッセージを前記マッピングすることは、
前記シグナリングメッセージを少なくとも１つの情報シンボルに対しマッピングすることと、
ブロック符号に従って前記少なくとも１つの情報シンボルを符号化して、前記複数の符号シンボルを得ること、とを備える（１）に記載の方法。
（５）  複数のリソースエレメントを前記選択することは、
前記複数のリソースエレメントで形成されたリソースエレメントの複数の組を決定することであって、各符号シンボルに関しては１つのリソースエレメント組であることと、
対応する符号シンボルに基づいてリソースエレメントの各組において１つのリソースエレメントを選択すること、とを備える（１）に記載の方法。
（６）  各符号シンボルは、０乃至Ｎ−１の範囲内の値を有し、Ｎは１よりも大きく、各組内の前記リソースエレメントは、インデックス０乃至Ｎ−１が割り当てられ、Ｘのインデックスを有するリソースエレメントは、Ｘの値を有する符号シンボルのために選択され、Ｘは０乃至Ｎ−１の範囲内である（５）に記載の方法。
（７）  リソースエレメントの各組は、１つのシンボル期間における複数の副搬送波を網羅し、リソースエレメントの各組において１つのリソースエレメントを前記選択することは、各シンボル期間において、前記シンボル期間において送信すべき符号シンボルに基づいて前記複数の副搬送波のうちの１つを選択することを備える（５）に記載の方法。
（８）  リソースエレメントの各組は、複数のシンボル期間における１つの副搬送波を網羅し、リソースエレメントの各組において１つのリソースエレメントを前記選択することは、各副搬送波において、前記副搬送波において送信すべき符号シンボルに基づいて前記複数のリソースエレメントのうちの１つを選択することを備える（５）に記載の方法。
（９）  前記複数のリソースエレメントは、複数のリソースセグメントに分割され、各リソースセグメントは、前記シグナリングメッセージを送信するために予約された少なくとも１つの副搬送波におけるリソースエレメントの少なくとも１つの組を備える（８）に記載の方法。
（１０）  前記複数のリソースエレメントは、前記シグナリングメッセージを送信するために予約され及び予め決められた時間及び周波数位置に配置されたリソースセグメント内に属する（1）に記載の方法。
（１１）  前記複数のリソースエレメントは、複数の副搬送波によって形成され、前記シグナリングメッセージを送信するために予約され、いずれかのシンボル期間において開始する（１）に記載の方法。
（１２）  前記ビーコン信号を前記生成することは、
前記ビーコン信号が送信される各シンボル期間に関して、存在する場合は各々の選択されたリソースエレメントにおいて送信電力を有する直交周波数分割多重（ＯＦＤＭ）シンボル又は単一搬送波周波数分割多重（ＳＣ−ＦＤＭ）シンボルを生成することと、
受信局が、前記受信局における不整合のシンボルタイミングに起因する小さいシンボル間干渉（ＩＳＩ）及びより小さい搬送波間干渉（ＩＣＩ）を有する前記シグナリングメッセージの受信を可能にするために、２つの連続するシンボル期間にわたり各々の選択されたリソースエレメントを繰り返すこと、とを備える（１）に記載の方法。
（１３）  前記送信局は、基地局であり、前記少なくとも１つの干渉する局は、少なくとも１つの干渉するユーザ装置（ＵＥ）である（３）に記載の方法。
（１４）  前記送信局は、ユーザ装置（ＵＥ）であり、前記少なくとも１つの干渉する局は、少なくとも１つの干渉する基地局である（３）に記載の方法。
（１５）  前記シグナリングメッセージを送信するために予約された副搬送波の少なくとも２つの連続しない部分組を決定することであって、各部分組は、少なくとも１つの副搬送波を含むことと、
複数のシンボル期間における副搬送波の前記少なくとも２つの連続しない部分組によって形成された前記複数のリソースエレメントを決定すること、とをさらに備える（１）に記載の方法。
（１６）  副搬送波の各部分組は、送信のために使用可能なその他の副搬送波から少なくとも１つのガード副搬送波によって隔離される（１５）に記載の方法。
（１７）  前記複数のリソースエレメントは、前記無線ネットワーク内の1つのセルにおいてシグナリングメッセージを送信するために使用可能であり、異なる複数のリソースエレメントは、前記無線ネットワーク内の異なるセルにおいてシグナリングメッセージを送信するために使用可能である（１）に記載の方法。
（１８）  前記複数のリソースエレメントは、前記無線ネットワーク内のすべてのセルにおいてシグナリングメッセージを送信するために使用可能である（１）に記載の方法。
（１９）  無線通信のための装置であって、
複数の符号シンボルにシグナリングメッセージをマッピングするための手段と、
前記複数の符号シンボルに基づいて複数のリソースエレメントの中から複数のリソースエレメントを選択するための手段と、
前記選択されたリソースエレメントにおいて送信電力を有し及び前記複数のリソースエレメントのうちの残りのリソースエレメントにおいて送信電力を有さないビーコン信号を生成するための手段と、を備える、無線通信のための装置。
（２０）  送信局から前記送信局と非同期的に動作する少なくとも１つの受信局に前記ビーコン信号を送信するための手段をさらに備える（１９）に記載の装置。
（２１）  送信局に対する干渉を低減させることを少なくとも１つの干渉する局に要求する干渉低減要求を備える前記シグナリングメッセージを生成するための手段をさらに備える（１９）に記載の装置。
（２２）  複数のリソースエレメントを選択するための前記手段は、
前記複数のリソースエレメントによって形成されたリソースエレメントの複数の組を決定するための手段であって、各符号シンボルに関して１つのリソースエレメント組である手段と、
対応する符号シンボルに基づいてリソースエレメントの各組において１つのリソースエレメントを選択するための手段と、を備える（１９）に記載の装置。
（２３）  リソースエレメントの各組は、１つのシンボル期間における複数の副搬送波を網羅し、リソースエレメントの各組において１つのリソースエレメントを選択するための前記手段は、各シンボル期間において、前記シンボル期間において送信すべき符号シンボルに基づいて前記複数の副搬送波のうちの１つを選択するための手段を備える（２２）に記載の装置。
（２４）  リソースエレメントの各組は、複数のシンボル期間における１つの副搬送波を網羅し、リソースエレメントの各組において１つのリソースエレメントを選択するための前記手段は、各副搬送波において、前記副搬送波において送信すべき符号シンボルに基づいて前記複数のシンボル期間のうちの１つを選択するための手段を備える（２２）に記載の装置。
（２５）  無線通信のための装置であって、
複数の符号シンボルにシグナリングメッセージをマッピングし、前記複数の符号シンボルに基づいて複数のリソースエレメントの中から複数のリソースエレメントを選択し、及び前記選択されたリソースエレメントにおいて送信電力を有し及び前記複数のリソースエレメントのうちの残りのリソースエレメントにおいて送信電力を有さないビーコン信号を生成するように構成された少なくとも１つのプロセッサを備える、無線通信のための装置。
（２６）  前記少なくとも１つのプロセッサは、送信局から前記送信局と非同期的に動作する少なくとも１つの受信局に前記ビーコン信号を送信するように構成される（２５）に記載の装置。
（２７）  前記少なくとも１つのプロセッサは、送信局に対する干渉を低減させることを少なくとも１つの干渉する局に要求する干渉低減要求を備える前記シグナリングメッセージを生成するように構成される（２５）に記載の装置。
（２８）  前記少なくとも１つのプロセッサは、前記複数のリソースエレメントによって形成されたリソースエレメントの複数の組を決定し、各符号シンボルに関して１つのリソースエレメント組を決定し、そして対応する符号シンボルに基づいてリソースエレメントの各組において１つのリソースエレメントを選択するように構成されている、（２５）に記載の装置。
（２９）  リソースエレメントの各組は、１つのシンボル期間における複数の副搬送波を網羅し、前記少なくとも１つのプロセッサは、各シンボル期間において、前記シンボル期間において送信すべき符号シンボルに基づいて前記複数の副搬送波のうちの１つを選択するように構成される（２８）に記載の装置。
（３０）リソースエレメントの各組は、複数のシンボル期間における１つの副搬送波を網羅し、前記少なくとも１つのプロセッサは、各副搬送波において、前記副搬送波において送信すべき符号シンボルに基づいて前記複数のシンボル期間のうちの１つを選択するように構成される（２８）に記載の装置。
（３１）  コンピュータプログラム製品であって、
複数の符号シンボルにシグナリングメッセージをマッピングすることを少なくとも１つのコンピュータに行わせるための符号と、
前記複数の符号シンボルに基づいて複数のリソースエレメントの中から複数のリソースエレメントを選択することを前記少なくとも１つのコンピュータに行わせるための符号と、
前記選択されたリソースエレメントにおいて送信電力を有し且つ前記複数のリソースエレメントのうちの残りのリソースエレメントにおいて送信電力を有さないビーコン信号を生成することを前記少なくとも１つのコンピュータに行わせるための符号と、を備える、コンピュータによって読み取り可能な媒体、を備える、コンピュータプログラム製品。
（３２）  無線通信ネットワークにおいてシグナリングを受信するための方法であって、
シグナリングメッセージを送信するために使用可能な複数のリソースエレメントから受信されたシンボルを得ることと、
前記受信されたシンボルに基づいて前記複数のリソースエレメントの中で高い受信された電力を有するリソースエレメントを識別することと、
前記複数のリソースエレメントの中の前記識別されたリソースエレメントの位置に基づいて前記複数のリソースエレメントにおいて送信されたシグナリングメッセージの有無を検出することと、を備え、各シグナリングメッセージは、前記シグナリングメッセージに基づいて前記複数のリソースエレメントの中から選択された複数のリソースエレメントにおいて送信される、無線通信ネットワークにおいてシグナリングを受信する方法。
（３３）  前記検出されたシグナリングメッセージから干渉低減要求を得ることと、
前記干渉低減要求に基づいて送信電力を低減させること、とをさらに備える（３２）に記載の方法。
（３４）  各シグナリングメッセージは、複数の符号語のうちの１つにマッピングされ、各符号語は、前記複数のリソースエレメントの中のＬのリソースエレメントの異なる組み合わせにマッピングされ、Ｌは１よりも大きく、シグナリングメッセージの有無を前記検出することは、
識別されたリソースエレメントにマッチするＬのリソースエレメントのうちの少なくともＤのリソースエレメントを各々有する候補符号語を識別し、ＤはＬよりも小さいことと、
前記候補符号語に基づいて前記複数のリソースエレメントにおいて送信されたシグナリングメッセージの有無を検出すること、とを備える（３２）に記載の方法。
（３５）  シグナリングメッセージの有無を前記検出することは、
各候補符号語に関するマッチしたリソースエレメントの数及び類似のリソースエレメントの数に基づいて除去すべき候補符号語を識別することと、
除去のために識別された各候補符号語を除去することと、
除去されない候補符号語に基づいて前記複数のリソースエレメントにおいて送信されたシグナリングメッセージの有無を検出すること、とをさらに備える（３４）に記載の方法。
（３６）  シグナリングメッセージの有無を前記検出することは、
低い受信された電力を有する各候補符号語を除去することと、
除去されない候補符号語に基づいて前記複数のリソースエレメントにおいて送信されたシグナリングメッセージの有無を検出すること、とをさらに備える（３４）に記載の方法。
（３７）  前記複数のリソースエレメントによって形成されるリソースエレメントのＬの組を決定することをさらに備え、Ｌは１よりも大きく、各シグナリングメッセージは、複数の符号語のうちの１つにマッピングされ、各符号語は、リソースエレメントの前記Ｌの組内のＬのリソースエレメントにマッピングされ、各組内に１つのマッピングされたリソースエレメントである（３２）に記載の方法。
（３８）  高い受信された電力を有するリソースエレメントを前記識別することは、リソースエレメントの各組において高い受信された電力を有するリソースエレメントを識別することを備え、シグナリングメッセージの有無を前記検出することは、リソースエレメントの各組内の前記識別されたリソースエレメントの位置に基づいてシグナリングメッセージの有無を検出することを備える（３７）に記載の方法。
（３９）  リソースエレメントの各組は、１つのシンボル期間における複数の副搬送波を網羅し、高い受信された電力を有するリソースエレメントを前記識別することは、リソースエレメントの組に対応する各シンボル期間において高い受信された電力を有する副搬送波を識別することを備える（３７）に記載の方法。
（４０）リソースエレメントの各組は、複数のシンボル期間における１つの副搬送波を網羅し、高い受信された電力を有するリソースエレメントを前記識別することは、リソースエレメントの組に対応する各副搬送波において高い受信された電力を有するシンボル期間を識別することを備える（３７）に記載の方法。
（４１）  無線通信のための装置であって、
シグナリングメッセージを送信するために使用可能な複数のリソースエレメントから受信されたシンボルを得るための手段と、
前記受信されたシンボルに基づいて前記複数のリソースエレメントの中で高い受信された電力を有するリソースエレメントを識別するための手段と、
前記複数のリソースエレメントの中の前記識別されたリソースエレメントの位置に基づいて前記複数のリソースエレメントにおいて送信されたシグナリングメッセージの有無を検出するための手段と、を備え、各シグナリングメッセージは、前記シグナリングメッセージに基づいて前記複数のリソースエレメントの中から選択された複数のリソースエレメントにおいて送信される、無線通信のための装置。
（４２）  前記検出されたシグナリングメッセージから干渉低減要求を得るための手段と、
前記干渉低減要求に基づいて送信電力を低減させるための手段と、をさらに備える（４１）に記載の装置。
（４３）  各シグナリングメッセージは、複数の符号語のうちの１つにマッピングされ、各符号語は、リソースエレメントのＬの組内のＬのリソースエレメントにマッピングされ、各組内に１つのマッピングされたリソースエレメントである（４１）に記載の装置。
（４４）リソースエレメントの各組は、１つのシンボル期間における複数の副搬送波を網羅し、高い受信された電力を有するリソースエレメントを識別するための前記手段は、リソースエレメントの組に対応する各シンボル期間において高い受信された電力を有する副搬送波を識別するための手段を備える（４３）に記載の装置。
（４５）リソースエレメントの各組は、複数のシンボル期間における１つの副搬送波を網羅し、高い受信された電力を有するリソースエレメントを識別するための前記手段は、リソースエレメントの組に対応する各副搬送波において高い受信された電力を有するシンボル期間を識別するための手段を備える（４３）に記載の装置。
【図１】
0005431448.tif 000011
【図２】
0005431448.tif 000012
【図３】
0005431448.tif 000013
【図４Ａ】
0005431448.tif 000014
【図４Ｂ】
0005431448.tif 000015
【図５】
0005431448.tif 000016
【図６】
0005431448.tif 000017
【図７】
0005431448.tif 000018
【図８】
0005431448.tif 000019
【図９】
0005431448.tif 000020
【図１０】
0005431448.tif 000021
【図１１】
0005431448.tif 000022
【図１２】
0005431448.tif 000023
【図１３】
0005431448.tif 000024
【図１４】
0005431448.tif 000025
【図１５】
0005431448.tif 000026
【図１６】
0005431448.tif 000027